(57)【特許請求の範囲】
【請求項１】
無認可周波数帯域ロングタームエボリューション（ＬＴＥ−Ｕ）処理部と、
ワイヤレスフィデリティ（Ｗｉ−Ｆｉ）処理部と、
アンテナ部と
を備え、
結合装置をさらに備える、信号伝送装置であって、
前記結合装置は、前記ＬＴＥ−Ｕ処理部と、前記Ｗｉ−Ｆｉ処理部と、前記アンテナ部とに接続されており、
前記結合装置は、前記アンテナ部により受信されたエアインタフェース信号を、第１の信号及び第２の信号に分割し、前記第１の信号を前記ＬＴＥ−Ｕ処理部へ送信し、前記第２の信号を前記Ｗｉ−Ｆｉ処理部へ送信し、
前記結合装置はさらに、前記ＬＴＥ−Ｕ処理部により送信されたＬＴＥ−Ｕ信号を受信し、前記ＬＴＥ−Ｕ信号を第１のＬＴＥ−Ｕ信号及び第２のＬＴＥ−Ｕ信号に分割し、前記アンテナ部が前記第１のＬＴＥ−Ｕ信号を伝送するように、前記第１のＬＴＥ−Ｕ信号を前記アンテナ部へ送信し、前記Ｗｉ−Ｆｉ処理部がＷｉ−Ｆｉ信号を送信しないように、前記第２のＬＴＥ−Ｕ信号を前記Ｗｉ−Ｆｉ処理部へ送信し、
前記結合装置はさらに、前記Ｗｉ−Ｆｉ処理部により送信されたＷｉ−Ｆｉ信号を受信し、前記Ｗｉ−Ｆｉ信号を第１のＷｉ−Ｆｉ信号及び第２のＷｉ−Ｆｉ信号に分割し、前記アンテナ部が前記第１のＷｉ−Ｆｉ信号を伝送するように、前記第１のＷｉ−Ｆｉ信号を前記アンテナ部へ送信し、前記ＬＴＥ−Ｕ処理部がＬＴＥ−Ｕ信号を送信しないように、前記第２のＷｉ−Ｆｉ信号を前記ＬＴＥ−Ｕ処理部へ送信する、信号伝送装置。
【請求項２】
前記結合装置は、第１の電力分割器と、第２の電力分割器と、第３の電力分割器と、第４の電力分割器とを有し、
前記第１の電力分割器の第１の端部が前記第２の電力分割器の第１の端部に接続されており、前記第１の電力分割器の第２の端部が前記ＬＴＥ−Ｕ処理部の出力端に接続されており、前記第１の電力分割器の第３の端部が前記Ｗｉ−Ｆｉ処理部の出力端に接続されており、前記第２の電力分割器の第２の端部が前記アンテナ部の入力端に接続されており、前記第２の電力分割器の第３の端部が前記第３の電力分割器の第３の端部に接続されており、前記第３の電力分割器の第２の端部が前記アンテナ部の出力端に接続されており、前記第３の電力分割器の第１の端部が前記第４の電力分割器の第１の端部に接続されており、前記第４の電力分割器の第２の端部が前記ＬＴＥ−Ｕ処理部の入力端に接続されており、前記第４の電力分割器の第３の端部が前記Ｗｉ−Ｆｉ処理部の入力端に接続されている、請求項１に記載の信号伝送装置。
【請求項３】
前記結合装置は、第１の電力分割器と、第２の電力分割器と、第１の結合器と、第２の結合器とを有し、
前記第１の電力分割器の第１の端部が前記第１の結合器の第１の端部に接続されており、前記第１の電力分割器の第２の端部が前記ＬＴＥ−Ｕ処理部の出力端に接続されており、前記第１の電力分割器の第３の端部が前記Ｗｉ−Ｆｉ処理部の出力端に接続されており、前記第１の結合器の第２の端部が前記アンテナ部の入力端に接続されており、前記第１の結合器の第３の端部が前記第２の結合器の第３の端部に接続されており、前記第２の結合器の第１の端部が前記アンテナ部の出力端に接続されており、前記第２の結合器の第２の端部が前記第２の電力分割器の第１の端部に接続されており、前記第２の電力分割器の第２の端部が前記ＬＴＥ−Ｕ処理部の入力端に接続されており、前記第２の電力分割器の第３の端部が前記Ｗｉ−Ｆｉ処理部の入力端に接続されている、請求項１に記載の信号伝送装置。
【請求項４】
前記結合装置は、第１の電力分割器と、第２の電力分割器と、第３の電力分割器と、第４の電力分割器と、第５の電力分割器と、第６の電力分割器とを有し、
前記第１の電力分割器の第１の端部が前記Ｗｉ−Ｆｉ処理部の出力端に接続されており、前記第１の電力分割器の第２の端部が前記第２の電力分割器の第２の端部に接続されており、前記第２の電力分割器の第１の端部が前記アンテナ部の入力端に接続されており、前記第１の電力分割器の第３の端部が前記第４の電力分割器の第３の端部に接続されており、前記第４の電力分割器の第２の端部が前記第３の電力分割器の第２の端部に接続されており、前記第３の電力分割器の第１の端部が前記アンテナ部の出力端に接続されており、前記第４の電力分割器の第１の端部が前記ＬＴＥ−Ｕ処理部の入力端に接続されており、前記第６の電力分割器の第１の端部が前記ＬＴＥ−Ｕ処理部の出力端に接続されており、前記第６の電力分割器の第３の端部が前記第２の電力分割器の第３の端部に接続されており、前記第６の電力分割器の第２の端部が前記第５の電力分割器の第２の端部に接続されており、前記第５の電力分割器の第３の端部が前記第３の電力分割器の第３の端部に接続されており、前記第５の電力分割器の第１の端部が前記Ｗｉ−Ｆｉ処理部の入力端に接続されている、請求項１に記載の信号伝送装置。
【請求項５】
前記結合装置はさらに、減衰器を有し、
前記減衰器の入力端が前記第２の電力分割器の前記第３の端部に接続されており、前記減衰器の出力端が前記第３の電力分割器の前記第３の端部に接続されている、請求項２に記載の信号伝送装置。
【請求項６】
前記結合装置はさらに、減衰器を有し、
前記減衰器の入力端が、前記第１の結合器の前記第３の端部に接続されており、前記減衰器の出力端が前記第２の結合器の前記第３の端部に接続されている、請求項３に記載の信号伝送装置。
【請求項７】
前記結合装置はさらに、第１の減衰器と、第２の減衰器とを有し、
前記第１の減衰器の入力端が前記第１の電力分割器の前記第３の端部に接続されており、前記第１の減衰器の出力端が前記第４の電力分割器の前記第３の端部に接続されており、前記第２の減衰器の入力端が前記第６の電力分割器の前記第２の端部に接続されており、前記第２の減衰器の出力端が前記第５の電力分割器の前記第２の端部に接続されている、請求項４に記載の信号伝送装置。
【請求項８】
ＬＴＥ−Ｕ処理部と、
Ｗｉ−Ｆｉ処理部と、
アンテナ部と
を備え、
結合装置をさらに備える、信号伝送装置であって、
前記結合装置は、前記ＬＴＥ−Ｕ処理部と、前記Ｗｉ−Ｆｉ処理部と、前記アンテナ部とに接続されており、前記ＬＴＥ−Ｕ処理部は、前記Ｗｉ−Ｆｉ処理部に接続されており、
前記結合装置は、前記アンテナ部により受信されたエアインタフェース信号を、第１の信号及び第２の信号に分割し、前記第１の信号を前記ＬＴＥ−Ｕ処理部へ送信し、前記第２の信号を前記Ｗｉ−Ｆｉ処理部へ送信し、
前記結合装置はさらに、前記ＬＴＥ−Ｕ処理部により送信されたＬＴＥ−Ｕ信号を受信し、前記アンテナ部が前記ＬＴＥ−Ｕ信号を伝送するように、前記ＬＴＥ−Ｕ信号を前記アンテナ部へ送信し、
前記結合装置はさらに、前記Ｗｉ−Ｆｉ処理部により送信されたＷｉ−Ｆｉ信号を受信し、前記アンテナ部が前記Ｗｉ−Ｆｉ信号を伝送するように、前記Ｗｉ−Ｆｉ信号を前記アンテナ部へ送信し、
前記ＬＴＥ−Ｕ処理部は、前記ＬＴＥ−Ｕ信号を前記結合装置へ送信する必要がある場合に、前記Ｗｉ−Ｆｉ処理部がＷｉ−Ｆｉ信号を送信しないように、第１のプロンプトメッセージを前記Ｗｉ−Ｆｉ処理部へ送信し、
前記Ｗｉ−Ｆｉ処理部は、前記Ｗｉ−Ｆｉ信号を前記結合装置へ送信する必要がある場合に、前記ＬＴＥ−Ｕ処理部がＬＴＥ−Ｕ信号を送信しないように、第２のプロンプトメッセージを前記ＬＴＥ−Ｕ処理部へ送信する、信号伝送装置。
【発明の詳細な説明】
【技術分野】
【０００１】
本出願は、２０１５年７月２８日に中国特許庁に出願された「信号伝送方法及び装置（ＳＩＧＮＡＬ  ＴＲＡＮＳＭＩＳＳＩＯＮ  ＭＥＴＨＯＤ  ＡＮＤ  ＡＰＰＡＲＡＴＵ）」と題する中国特許出願第２０１５１０４４９５７８．Ｘ号に基づく優先権を主張するものであり、その全体を参照することで本明細書に組み込まれる。
【０００２】
本発明は、無線通信技術の分野に関するものであり、具体的には、信号伝送方法及び装置に関するものである。
【背景技術】
【０００３】
無線通信技術の急速な進歩に伴って、ワイヤレスフィデリティ（Ｗｉ−Ｆｉ、Ｗｉｒｅｌｅｓｓ−Ｆｉｄｅｌｉｔｙ）技術及びセルラ技術が、最も成功した２つの無線技術になった。Ｗｉ−Ｆｉ技術によって、事業者は、自由に利用できる５GHｚの無認可周波数帯域を用いることで、セルラネットワークのオフロードのために無線ローカルエリアネットワーク（ＷＬＡＮ、Ｗｉｒｅｌｅｓｓ  Ｌｏｃａｌ  Ａｒｅａ  Ｎｅｔｗｏｒｋｓ）を配置して、セルラネットワークの通信負荷を低減することができる。
【０００４】
さらに、セルラ業界に対するＷｉ−Ｆｉ業界の影響に対処するために、第３世代パートナーシッププロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）は、無認可周波数帯域ロングタームエボリューション（ＬＴＥ−Ｕ、ＬＴＥ−Ｕｎｌｉｃｅｎｓｅｄ）技術に関する研究テーマを正式に設定し、ＬＴＥ技術における認可周波数帯域の不十分な帯域幅を補うために、自由に利用できる５ＧＨｚの無認可周波数帯域を用いている。５ＧＨｚの無認可周波数帯域は、Ｗｉ−Ｆｉ技術及びＬＴＥ−Ｕ技術の両方に用いられる。一般に、Ｗｉ−Ｆｉ技術及びＬＴＥ−Ｕ技術は、互いに競合するソリューションと考えられている。図１に示されるように、ＬＴＥ−Ｕ技術をサポートするＬＴＥ−Ｕ基地局、及びＷｉ−Ｆｉ技術をサポートするＷｉ−Ｆｉアクセスポイント（ＡＰ、Ａｃｃｅｓｓ  Ｐｏｉｎｔ）は、対応する技術をサポートする端末に無線通信サービスを別々に提供する。
【発明の概要】
【０００５】
本発明の実施形態は、ＬＴＥ−Ｕ技術とＷｉ−Ｆｉ技術との間の互換性を容易にするために、信号伝送方法及び装置を開示する。
【０００６】
本発明の実施形態の第１の態様が、信号伝送装置を開示する。本装置は、無認可周波数帯域ロングタームエボリューションＬＴＥ−Ｕ処理部と、ワイヤレスフィデリティＷｉ−Ｆｉ処理部と、アンテナ部とを含む。本装置はさらに、結合装置を含む。結合装置は、ＬＴＥ−Ｕ処理部と、Ｗｉ−Ｆｉ処理部と、アンテナ部とに接続されている。結合装置は、アンテナ部により受信されたエアインタフェース信号を第１の信号及び第２の信号に分割し、第１の信号をＬＴＥ−Ｕ処理部へ送信し、第２の信号をＷｉ−Ｆｉ処理部へ送信するように構成されている。結合装置はさらに、ＬＴＥ−Ｕ処理部により送信されたＬＴＥ−Ｕ信号を受信し、当該ＬＴＥ−Ｕ信号を第１のＬＴＥ−Ｕ信号及び第２のＬＴＥ−Ｕ信号に分割し、アンテナ部が第１のＬＴＥ−Ｕ信号を伝送するように、第１のＬＴＥ−Ｕ信号をアンテナ部へ送信し、Ｗｉ−Ｆｉ処理部がＷｉ−Ｆｉ信号を送信しないように、第２のＬＴＥ−Ｕ信号をＷｉ−Ｆｉ処理部へ送信するように構成されている。結合装置はさらに、Ｗｉ−Ｆｉ処理部により送信されたＷｉ−Ｆｉ信号を受信し、当該Ｗｉ−Ｆｉ信号を第１のＷｉ−Ｆｉ信号及び第２のＷｉ−Ｆｉ信号に分割し、アンテナ部が第１のＷｉ−Ｆｉ信号を伝送するように、第１のＷｉ−Ｆｉ信号をアンテナ部へ送信し、ＬＴＥ−Ｕ処理部がＬＴＥ−Ｕ信号を送信しないように、第２のＷｉ−Ｆｉ信号をＬＴＥ−Ｕ処理部へ送信するように構成されている。
【０００７】
本発明の実施形態の第１の態様の第１の可能な実装態様において、結合装置は、第１の電力分割器と、第２の電力分割器と、第３の電力分割器と、第４の電力分割器とを含む。ここで、第１の電力分割器の第１の端部が第２の電力分割器の第１の端部に接続されており、第１の電力分割器の第２の端部がＬＴＥ−Ｕ処理部の出力端に接続されており、第１の電力分割器の第３の端部がＷｉ−Ｆｉ処理部の出力端に接続されており、第２の電力分割器の第２の端部がアンテナ部の入力端に接続されており、第２の電力分割器の第３の端部が第３の電力分割器の第３の端部に接続されており、第３の電力分割器の第２の端部がアンテナ部の出力端に接続されており、第３の電力分割器の第１の端部が第４の電力分割器の第１の端部に接続されており、第４の電力分割器の第２の端部がＬＴＥ−Ｕ処理部の入力端に接続されており、第４の電力分割器の第３の端部がＷｉ−Ｆｉ処理部の入力端に接続されている。
【０００８】
本発明の実施形態の第１の態様に関連して、本発明の実施形態の第１の態様の第２の可能な実装態様では、結合装置は、第１の電力分割器と、第２の電力分割器と、第１の結合器と、第２の結合器とを含む。ここで、第１の電力分割器の第１の端部が第１の結合器の第１の端部に接続されており、第１の電力分割器の第２の端部がＬＴＥ−Ｕ処理部の出力端に接続されており、第１の電力分割器の第３の端部がＷｉ−Ｆｉ処理部の出力端に接続されており、第１の結合器の第２の端部がアンテナ部の入力端に接続されており、第１の結合器の第３の端部が第２の結合器の第３の端部に接続されており、第２の結合器の第１の端部がアンテナ部の出力端に接続されており、第２の結合器の第２の端部が第２の電力分割器の第１の端部に接続されており、第２の電力分割器の第２の端部がＬＴＥ−Ｕ処理部の入力端に接続されており、第２の電力分割器の第３の端部がＷｉ−Ｆｉ処理部の入力端に接続されている。
【０００９】
本発明の実施形態の第１の態様に関連して、本発明の実施形態の第１の態様の第３の可能な実装態様では、結合装置は、第１の電力分割器と、第２の電力分割器と、第３の電力分割器と、第４の電力分割器と、第５の電力分割器と、第６の電力分割器とを含む。ここで、第１の電力分割器の第１の端部がＷｉ−Ｆｉ処理部の出力端に接続されており、第１の電力分割器の第２の端部が第２の電力分割器の第２の端部に接続されており、第２の電力分割器の第１の端部がアンテナ部の入力端に接続されており、第１の電力分割器の第３の端部が第４の電力分割器の第３の端部に接続されており、第４の電力分割器の第２の端部が第３の電力分割器の第２の端部に接続されており、第３の電力分割器の第１の端部がアンテナ部の出力端に接続されており、第４の電力分割器の第１の端部がＬＴＥ−Ｕ処理部の入力端に接続されており、第６の電力分割器の第１の端部がＬＴＥ−Ｕ処理部の出力端に接続されており、第６の電力分割器の第３の端部が第２の電力分割器の第３の端部に接続されており、第６の電力分割器の第２の端部が第５の電力分割器の第２の端部に接続されており、第５の電力分割器の第３の端部が第３の電力分割器の第３の端部に接続されており、第５の電力分割器の第１の端部がＷｉ−Ｆｉ処理部の入力端に接続されている。
【００１０】
本発明の実施形態の第１の態様の第１の可能な実装態様に関連して、本発明の実施形態の第１の態様の第４の可能な実装態様では、結合装置はさらに減衰器を含む。ここで、減衰器の入力端が第２の電力分割器の第３の端部に接続されており、減衰器の出力端が第３の電力分割器の第３の端部に接続されている。
【００１１】
本発明の実施形態の第１の態様の第２の可能な実装態様に関連して、本発明の実施形態の第１の態様の第５の可能な実装態様では、結合装置はさらに減衰器を含む。ここで、減衰器の入力端が第１の結合器の第３の端部に接続されており、減衰器の出力端が第２の結合器の第３の端部に接続されている。
【００１２】
本発明の実施形態の第１の態様の第３の可能な実装態様に関連して、本発明の実施形態の第１の態様の第６の可能な実装態様では、結合装置はさらに、第１の減衰器と第２の減衰器とを含む。ここで、第１の減衰器の入力端が第１の電力分割器の第３の端部に接続されており、第１の減衰器の出力端が第４の電力分割器の第３の端部に接続されており、第２の減衰器の入力端が第６の電力分割器の第２の端部に接続されており、第２の減衰器の出力端が第５の電力分割器の第２の端部に接続されている。
【００１３】
本発明の実施形態の第２の態様が、別の信号伝送装置を開示する。本装置は、ＬＴＥ−Ｕ処理部と、Ｗｉ−Ｆｉ処理部と、アンテナ部とを含む。本装置はさらに結合装置を含む。結合装置は、ＬＴＥ−Ｕ処理部と、Ｗｉ−Ｆｉ処理部と、アンテナ部とに接続されており、ＬＴＥ−Ｕ処理部は、Ｗｉ−Ｆｉ処理部に接続されている。ここで、結合装置は、アンテナ部により受信されたエアインタフェース信号を、第１の信号及び第２の信号に分割し、第１の信号をＬＴＥ−Ｕ処理部へ送信し、第２の信号をＷｉ−Ｆｉ処理部へ送信するように構成されている。結合装置はさらに、ＬＴＥ−Ｕ処理部により送信されたＬＴＥ−Ｕ信号を受信し、アンテナ部が当該ＬＴＥ−Ｕ信号を伝送するように、当該ＬＴＥ−Ｕ信号をアンテナ部へ送信するように構成されている。結合装置はさらに、Ｗｉ−Ｆｉ処理部により送信されたＷｉ−Ｆｉ信号を受信し、アンテナ部が当該Ｗｉ−Ｆｉ信号を伝送するように、当該Ｗｉ−Ｆｉ信号をアンテナ部へ送信するように構成されている。ＬＴＥ−Ｕ処理部は、ＬＴＥ−Ｕ信号を結合装置へ送信する必要がある場合に、Ｗｉ−Ｆｉ処理部がＷｉ−Ｆｉ信号を送信しないように、第１のプロンプトメッセージをＷｉ−Ｆｉ処理部へ送信するように構成されている。Ｗｉ−Ｆｉ処理部は、Ｗｉ−Ｆｉ信号を結合装置へ送信する必要がある場合に、ＬＴＥ−Ｕ処理部がＬＴＥ−Ｕ信号を送信しないように、第２のプロンプトメッセージをＬＴＥ−Ｕ処理部へ送信するように構成されている。
【００１４】
本発明の実施形態の第２の態様の第１の可能な実装態様において、結合装置は、第１の電力分割器と第２の電力分割器とを含む。ここで、第１の電力分割器の第１の端部がアンテナ部の入力端に接続されており、第１の電力分割器の第２の端部がＬＴＥ−Ｕ処理部の出力端に接続されており、第１の電力分割器の第３の端部がＷｉ−Ｆｉ処理部の出力端に接続されており、第２の電力分割器の第１の端部がアンテナ部の出力端に接続されており、第２の電力分割器の第２の端部がＬＴＥ−Ｕ処理部の入力端に接続されており、第２の電力分割器の第３の端部がＷｉ−Ｆｉ処理部の入力端に接続されている。
【００１５】
本発明の実施形態の第３の態様が、さらに別の信号伝送装置を開示する。本装置は、ＬＴＥ−Ｕ処理部と、Ｗｉ−Ｆｉ処理部と、アンテナ部とを含む。本装置はさらに、結合装置と制御部とを含む。結合装置は、ＬＴＥ−Ｕ処理部と、Ｗｉ−Ｆｉ処理部と、制御部と、アンテナ部とに接続されている。制御部は、ＬＴＥ−Ｕ処理部と、結合装置と、Ｗｉ−Ｆｉ処理部とに接続されている。結合装置は、アンテナ部により受信されたエアインタフェース信号を、第１の信号、第２の信号、及び第３の信号に分割し、第１の信号をＬＴＥ−Ｕ処理部へ送信し、第２の信号をＷｉ−Ｆｉ処理部へ送信し、第３の信号を制御部へ送信するように構成されている。制御部は、チャネルがアイドル状態であることが検出された場合に当該チャネルについて競合し、競合によってチャネルを取得した場合に、ＬＴＥ−Ｕ信号を送信するようにＬＴＥ−Ｕ処理部を制御し、且つＷｉ−Ｆｉ信号を送信しないようにＷｉ−Ｆｉ処理部を制御するか、又はＷｉ−Ｆｉ信号を送信するようにＷｉ−Ｆｉ処理部を制御し、且つＬＴＥ−Ｕ信号を送信しないようにＬＴＥ−Ｕ処理部を制御するように構成されている。結合装置はさらに、ＬＴＥ−Ｕ処理部により送信されたＬＴＥ−Ｕ信号を受信し、アンテナ部が当該ＬＴＥ−Ｕ信号を伝送するように、当該ＬＴＥ−Ｕ信号をアンテナ部へ送信するように構成されている。結合装置はさらに、Ｗｉ−Ｆｉ処理部により送信されたＷｉ−Ｆｉ信号を受信し、アンテナ部が当該Ｗｉ−Ｆｉ信号を伝送するように、当該Ｗｉ−Ｆｉ信号をアンテナ部へ送信するように構成されている。
【００１６】
本発明の実施形態の第３の態様の第１の可能な実装態様において、結合装置は、第１の電力分割器と第２の電力分割器とを含む。ここで、第１の電力分割器の第１の端部がアンテナ部の入力端に接続されており、第１の電力分割器の第２の端部がＬＴＥ−Ｕ処理部の出力端に接続されており、第１の電力分割器の第３の端部がＷｉ−Ｆｉ処理部の出力端に接続されており、第２の電力分割器の第１の端部がアンテナ部の出力端に接続されており、第２の電力分割器の第２の端部がＬＴＥ−Ｕ処理部の入力端に接続されており、第２の電力分割器の第３の端部がＷｉ−Ｆｉ処理部の入力端に接続されており、第２の電力分割器の第４の端部が制御部の入力端に接続されている。
【００１７】
本発明の実施形態の第４の態様が、信号伝送方法を開示する、本方法は信号伝送装置に適用され、本装置はアンテナ部を含む。本方法は、チャネルがアイドル状態かどうかを検出する段階と、当該チャネルがアイドル状態である場合に、ＬＴＥ−Ｕ信号及びＷｉ−Ｆｉ信号を時分割多重方式でアンテナ部により伝送する段階とを含む。本方法はさらに、エアインタフェース信号をアンテナ部により受信する段階と、当該エアインタフェース信号を第１の信号及び第２の信号に分割する段階とを含む。
【００１８】
本発明の実施形態の第４の態様の第１の可能な実装態様において、本装置はさらに結合装置を含む。ＬＴＥ−Ｕ信号及びＷｉ−Ｆｉ信号を時分割多重方式でアンテナ部により伝送する段階は、ＬＴＥ−Ｕ信号が伝送される必要がある場合に、当該ＬＴＥ−Ｕ信号を第１のＬＴＥ−Ｕ信号及び第２のＬＴＥ−Ｕ信号に結合装置により分割して、第１のＬＴＥ−Ｕ信号をアンテナ部により伝送する段階であって、第２のＬＴＥ−Ｕ信号は、Ｗｉ−Ｆｉ信号を伝送しないように命令するのに用いられる、段階、又は、Ｗｉ−Ｆｉ信号が伝送される必要がある場合に、当該Ｗｉ−Ｆｉ信号を第１のＷｉ−Ｆｉ信号及び第２のＷｉ−Ｆｉ信号に結合装置により分割して、第１のＷｉ−Ｆｉ信号をアンテナ部により伝送する段階であって、第２のＷｉ−Ｆｉ信号は、ＬＴＥ−Ｕ信号を伝送しないように命令するのに用いられる、段階を含む。
【００１９】
本発明の実施形態の第４の態様に関連して、本発明の実施形態の第４の態様の第２の可能な実装態様では、本装置はさらに、ＬＴＥ−Ｕ処理部と、Ｗｉ−Ｆｉ処理部と、結合装置とを含む。ＬＴＥ−Ｕ信号及びＷｉ−Ｆｉ信号を時分割多重方式でアンテナ部により伝送する段階は、ＬＴＥ−Ｕ信号が伝送される必要がある場合に、ＬＴＥ−Ｕ信号をアンテナ部へ結合装置により送信する段階と、第１のプロンプトメッセージをＷｉ−Ｆｉ処理部へＬＴＥ−Ｕ処理部により送信する段階と、ＬＴＥ−Ｕ信号をアンテナ部により伝送する段階とを含み、第１のプロンプトメッセージは、Ｗｉ−Ｆｉ信号をアンテナ部へ送信しないようにＷｉ−Ｆｉ処理部に命令するのに用いられる、又は、Ｗｉ−Ｆｉ信号が伝送される必要がある場合に、Ｗｉ−Ｆｉ信号をアンテナ部へ結合装置により送信する段階と、第２のプロンプトメッセージをＬＴＥ−Ｕ処理部へＷｉ−Ｆｉ処理部により送信する段階と、Ｗｉ−Ｆｉ信号をアンテナ部により伝送する段階とを含み、第２のプロンプトメッセージは、ＬＴＥ−Ｕ信号をアンテナ部へ送信しないようにＬＴＥ−Ｕ処理部に命令するのに用いられる。
【００２０】
本発明の実施形態の第４の態様に関連して、本発明の実施形態の第４の態様の第３の可能な実装態様では、本装置はさらに、ＬＴＥ−Ｕ処理部と、Ｗｉ−Ｆｉ処理部と、制御部とを含む。ＬＴＥ−Ｕ信号及びＷｉ−Ｆｉ信号を時分割多重方式でアンテナ部により伝送する段階は、ＬＴＥ−Ｕ信号が伝送される必要がある場合に、制御部により、ＬＴＥ−Ｕ信号をアンテナ部へ送信するようにＬＴＥ−Ｕ処理部を制御し、且つＷｉ−Ｆｉ信号をアンテナ部へ送信しないようにＷｉ−Ｆｉ処理部を制御する段階と、ＬＴＥ−Ｕ信号をアンテナ部により伝送する段階とを含む、又は、Ｗｉ−Ｆｉ信号が伝送される必要がある場合に、制御部により、Ｗｉ−Ｆｉ信号をアンテナ部へ送信するようにＷｉ−Ｆｉ処理部を制御し、且つＬＴＥ−Ｕ信号をアンテナ部へ送信しないようにＬＴＥ−Ｕ処理部を制御する段階と、Ｗｉ−Ｆｉ信号をアンテナ部により伝送する段階とを含む。
【００２１】
本発明の実施形態の第４の態様、本発明の実施形態の第４の態様の第１の可能な実装態様、本発明の実施形態の第４の態様の第２の可能な実装態様、又は本発明の実施形態の第４の態様の第３の可能な実装態様に関連して、本発明の実施形態の第４の態様の第４の可能な実装態様では、チャネルがアイドル状態である場合に、ＬＴＥ−Ｕ信号及びＷｉ−Ｆｉ信号を時分割多重方式でアンテナ部により伝送する段階の前に、本方法はさらに、チャネルが競合によって取得されるかどうかを判定する段階と、チャネルが競合によって取得された場合に、ＬＴＥ−Ｕ信号及びＷｉ−Ｆｉ信号を時分割多重方式でアンテナ部により伝送するオペレーションを実行する段階とを含む。
【００２２】
本発明の実施形態において提供される信号伝送装置は、ＬＴＥ−Ｕ処理部と、Ｗｉ−Ｆｉ処理部と、アンテナ部と、結合装置とを含む。アンテナ部は、エアインタフェース信号を受信するように構成されている。結合装置は、エアインタフェース信号を第１の信号及び第２の信号に分割して、第１の信号をＬＴＥ−Ｕ処理部へ送信し、第２の信号をＷｉ−Ｆｉ処理部へ送信するように構成されている。結合装置はさらに、ＬＴＥ−Ｕ処理部により送信されたＬＴＥ−Ｕ信号を受信し、当該ＬＴＥ−Ｕ信号を第１のＬＴＥ−Ｕ信号及び第２のＬＴＥ−Ｕ信号に分割し、アンテナ部が第１のＬＴＥ−Ｕ信号を伝送するように、第１のＬＴＥ−Ｕ信号をアンテナ部へ送信し、Ｗｉ−Ｆｉ処理部がＷｉ−Ｆｉ信号を送信しないように、第２のＬＴＥ−Ｕ信号をＷｉ−Ｆｉ処理部へ送信するように構成されている。結合装置はさらに、Ｗｉ−Ｆｉ処理部により送信されたＷｉ−Ｆｉ信号を受信し、当該Ｗｉ−Ｆｉ信号を第１のＷｉ−Ｆｉ信号及び第２のＷｉ−Ｆｉ信号に分割し、アンテナ部が第１のＷｉ−Ｆｉ信号を伝送するように、第１のＷｉ−Ｆｉ信号をアンテナ部へ送信し、ＬＴＥ−Ｕ処理部がＬＴＥ−Ｕ信号を送信しないように、第２のＷｉ−Ｆｉ信号をＬＴＥ−Ｕ処理部へ送信するように構成されている。本発明の実施形態は、容易に配置される信号伝送装置を提供することができ、これにより、ＬＴＥ−Ｕ技術は、時分割多重方式でＷｉ−Ｆｉ技術と互換性を有し、信号伝送装置は、サイズが小さくなり、配置コストが低くなることが分かり得る。
【図面の簡単な説明】
【００２３】
本発明の実施形態における技術的ソリューションをより明確に説明するために、以下では、これらの実施形態を説明するのに必要とされる添付図面を簡潔に説明する。以下の説明における添付図面は、単に本発明の実施形態の一部を示すだけであり、当業者であれば、創造的努力をすることなく、これらの添付図面から他の図面をさらに導き出し得ることが明らかである。
【００２４】
【図１】従来技術において、ＬＴＥ−Ｕ基地局及びＷｉ−Ｆｉアクセスポイントが、対応する端末にサービスを提供するシナリオの概略図である。
【００２５】
【図２】本発明の一実施形態に従って、ＬＴＥ−Ｕ技術及びＷｉ−Ｆｉ技術の両方をサポートする基地局が、対応する端末にサービスを提供するシナリオの概略図である。
【００２６】
【図３】本発明の一実施形態による、信号伝送装置の概略構造図である。
【００２７】
【図４】本発明の一実施形態による、別の信号伝送装置の概略構造図である。
【００２８】
【図５】本発明の一実施形態による、さらに別の信号伝送装置の概略構造図である。
【００２９】
【図６】本発明の一実施形態による、さらに別の信号伝送装置の概略構造図である。
【００３０】
【図７】本発明の一実施形態による、さらに別の信号伝送装置の概略構造図である。
【００３１】
【図８】本発明の一実施形態による、さらに別の信号伝送装置の概略構造図である。
【００３２】
【図９】本発明の一実施形態による、さらに別の信号伝送装置の概略構造図である。
【００３３】
【図１０】本発明の一実施形態による、さらに別の信号伝送装置の概略構造図である。
【００３４】
【図１１】本発明の一実施形態による、信号伝送方法の概略フローチャートである。
【発明を実施するための形態】
【００３５】
以下では、本発明の実施形態の添付図面を参照して、本発明の実施形態における技術的ソリューションを詳細に明確に説明する。説明される実施形態は、単に本発明の実施形態の一部であって、全てではないことは明らかである。本発明の実施形態に基づいて、創造的努力をすることなく、当業者により取得された全ての他の実施形態は、本発明の保護範囲に含まれることになる。
【００３６】
本発明の実施形態は、信号伝送方法及び装置を開示し、これにより、ＬＴＥ−Ｕ技術及びＷｉ−Ｆｉ技術の両方をサポートすることができ、信号伝送装置は、サイズが比較的小さくなり、配置コストが低くなる。以下では、詳細な説明を個別に提供する。
【００３７】
図２を参照すると、図２は、本発明の一実施形態に従って、ＬＴＥ−Ｕ技術及びＷｉ−Ｆｉ技術の両方をサポートする基地局が、対応する端末にサービスを提供するシナリオの概略図である。図２に示されるように、ＬＴＥ−Ｕ技術及びＷｉ−Ｆｉ技術の両方をサポートする基地局には、ＬＴＥ−Ｕ処理部と、Ｗｉ−Ｆｉ処理部と、アンテナ部と、結合装置とを含む、本発明の本実施形態による信号伝送装置が設けられており、ＬＴＥ−Ｕ技術及びＷｉ−Ｆｉ技術の両方をサポートする基地局は、ＬＴＥ−Ｕ端末、Ｗｉ−Ｆｉ端末、及びＬＴＥ−Ｕ＆Ｗｉ−Ｆｉ端末にサービスを提供することができる。ＬＴＥ−Ｕ＆Ｗｉ−Ｆｉ端末にも、ＬＴＥ−Ｕ処理部と、Ｗｉ−Ｆｉ処理部と、アンテナ部と、結合装置とを含む、本発明の本実施形態による信号伝送装置が設けられてよい。
【００３８】
図３を参照すると、図３は、本発明の一実施形態による、信号伝送装置の概略構造図である。図３に示されるように、信号伝送装置は、ＬＴＥ−Ｕ処理部と、Ｗｉ−Ｆｉ処理部と、アンテナ部と、結合装置とを含んでよく、結合装置は、ＬＴＥ−Ｕ処理部と、Ｗｉ−Ｆｉ処理部と、アンテナ部とに接続されている。
【００３９】
アンテナ部は、エアインタフェース信号を受信して、当該エアインタフェース信号を結合装置へ送信するように構成されている。
【００４０】
アンテナ部はさらに、結合装置により送信された信号（ＬＴＥ−Ｕ信号又はＷｉ−Ｆｉ信号）を受信して、当該信号を伝送するように構成されている。
【００４１】
結合装置は、エアインタフェース信号を受信し、当該エアインタフェース信号を第１の信号及び第２の信号に分割し、第１の信号をＬＴＥ−Ｕ処理部へ送信し、第２の信号をＷｉ−Ｆｉ処理部へ送信するように構成されている。
【００４２】
結合装置はさらに、ＬＴＥ−Ｕ処理部により送信されたＬＴＥ−Ｕ信号を受信し、当該ＬＴＥ−Ｕ信号を第１のＬＴＥ−Ｕ信号及び第２のＬＴＥ−Ｕ信号に分割し、アンテナ部が第１のＬＴＥ−Ｕ信号を伝送するように、第１のＬＴＥ−Ｕ信号をアンテナ部へ送信し、Ｗｉ−Ｆｉ処理部がＷｉ−Ｆｉ信号を送信しないように、第２のＬＴＥ−Ｕ信号をＷｉ−Ｆｉ処理部へ送信するように構成されている。
【００４３】
結合装置はさらに、Ｗｉ−Ｆｉ処理部により送信されたＷｉ−Ｆｉ信号を受信し、当該Ｗｉ−Ｆｉ信号を第１のＷｉ−Ｆｉ信号及び第２のＷｉ−Ｆｉ信号に分割し、アンテナ部が第１のＷｉ−Ｆｉ信号を伝送するように、第１のＷｉ−Ｆｉ信号をアンテナ部へ送信し、ＬＴＥ−Ｕ処理部がＬＴＥ−Ｕ信号を送信しないように、第２のＷｉ−Ｆｉ信号をＬＴＥ−Ｕ処理部へ送信するように構成されている。
【００４４】
本発明の本実施形態において、例えば、ＬＴＥ−Ｕ処理部がＬＴＥ−Ｕ信号を結合装置へ送信する具体的な処理が、以下のように説明され得る。
【００４５】
ＬＴＥ−Ｕ処理部は、第１の信号を受信し、当該第１の信号の信号強度値が、事前設定された第１の信号強度閾値より小さいか又はそれに等しいかを判定し、その判定結果が肯定である場合に、ＬＴＥ−Ｕ信号が送信されるチャネルである第１のチャネルが、アイドルチャネルであると判定し、ＬＴＥ−Ｕ信号を送信する必要がある場合に、第１のチャネルについて競合し、競合によって第１のチャネルを取得した場合に、ＬＴＥ−Ｕ信号を結合装置へ送信する。ＬＴＥ−Ｕ処理部が第１のチャネルについて競合する具体的な方式は、ランダムな時間を生成することと、時間計測を開始することと、時間計測を開始した時間からランダムな時間までの期間内に、第１のチャネルがまだアイドルチャネルである場合に、競合によって第１のチャネルを取得することとであってよい。
【００４６】
本発明の本実施形態において、例えば、Ｗｉ−Ｆｉ処理部がＷｉ−Ｆｉ信号を結合装置へ送信する具体的な処理が、以下のように説明され得る。
【００４７】
Ｗｉ−Ｆｉ処理部は、第２の信号を受信し、当該第２の信号の信号強度値が、事前設定された第２の信号強度閾値より小さいか又はそれに等しいかを判定し、その判定結果が肯定である場合に、Ｗｉ−Ｆｉ信号が送信されるチャネルである第２のチャネルが、アイドルチャネルであると判定し、Ｗｉ−Ｆｉ信号を送信する必要がある場合に、第２のチャネルについて競合し、競合によって第２のチャネルを取得した場合に、Ｗｉ−Ｆｉ信号を結合装置へ送信するように構成されている。Ｗｉ−Ｆｉ処理部が第２のチャネルについて競合する具体的な方式は、ランダムな時間を生成することと、時間計測を開始することと、時間計測を開始した時間からランダムな時間までの期間内に、第２のチャネルがまだアイドルチャネルである場合に、競合によって第２のチャネルを取得することとである。
【００４８】
信号伝送装置は、ＬＴＥ−Ｕ処理部と、Ｗｉ−Ｆｉ処理部と、アンテナ部と、結合装置とを含むことが分かり得る。信号伝送装置は、基地局又は移動通信デバイスに容易に配置される。ＬＴＥ−Ｕ処理部がＬＴＥ−Ｕ信号を送信するとき、Ｗｉ−Ｆｉ処理部はＷｉ−Ｆｉ信号を送信せず、又は、Ｗｉ−Ｆｉ処理部がＷｉ−Ｆｉ信号を送信するとき、ＬＴＥ−Ｕ処理部はＬＴＥ−Ｕ信号を送信しない。これにより、ＬＴＥ−Ｕ技術は、時分割多重方式でＷｉ−Ｆｉ技術と互換性を有し、アンテナ部が省かれ得る。したがって、信号伝送装置は、サイズが小さくなり、配置コストが低くなる。
【００４９】
本発明の本実施形態において、アンテナ部は、電力増幅器と、低雑音増幅器と、無線周波数スイッチと、アンテナとを含んでよい。
【００５０】
アンテナは、エアインタフェース無線周波数信号を受信し、無線周波数スイッチが受信モードにある場合に、当該エアインタフェース無線周波数信号を低雑音増幅器へ送信するように構成されている。低雑音増幅器は、低雑音増幅器により受信されたエアインタフェース無線周波数信号を増幅し、増幅されたエアインタフェース無線周波数信号を結合装置へ送信するように構成されており、これにより、結合装置は、増幅されたエアインタフェース無線周波数信号を第１の無線周波数信号及び第２の無線周波数信号に分割する。電力増幅器は、結合装置により送信された信号を受信し、当該信号の電力を増幅し、無線周波数スイッチが伝送モードにある場合に、アンテナが電力増幅された信号を伝送するように、電力増幅された信号をアンテナへ送信するように構成されている。
【００５１】
本発明の本実施形態において、ＬＴＥ−Ｕ処理部は、ＬＴＥ−Ｕベースバンド処理部と、ＬＴＥ−Ｕ無線周波数処理部とを含んでよい。
【００５２】
ＬＴＥ−Ｕ無線周波数処理部は、結合装置により送信された第１の無線周波数信号を受信し、当該第１の無線周波数信号に対してダウンコンバージョン処理を実行して、第１のベースバンド信号を取得し、当該第１のベースバンド信号をＬＴＥ−Ｕベースバンド処理部へ送信するように構成されている。ＬＴＥ−Ｕベースバンド処理部は、第１のベースバンド信号を受信し、当該第１のベースバンド信号の信号強度値が、事前設定された第１の信号強度閾値より小さいか又はそれに等しいかを判定し、その判定が肯定である場合に、第１のチャネルがアイドルチャネルであると判定するように構成されている。ＬＴＥ−Ｕベースバンド処理部はさらに、ＬＴＥ−Ｕ信号を送信する必要がある場合に、第１のチャネルについて競合し、競合によって第１のチャネルを取得した後に、ＬＴＥ−Ｕ信号をＬＴＥ−Ｕベースバンド信号に符号化及び変調し、ＬＴＥ−Ｕベースバンド信号をＬＴＥ−Ｕ無線周波数処理部へ送信するように構成されている。ＬＴＥ−Ｕ無線周波数処理部はさらに、ＬＴＥ−Ｕベースバンド信号に対してアップコンバージョン処理を実行して、ＬＴＥ−Ｕ無線周波数信号を取得し、当該ＬＴＥ−Ｕ無線周波数信号を結合装置へ送信するように構成されている。
【００５３】
本発明の本実施形態において、Ｗｉ−Ｆｉ処理部は、Ｗｉ−Ｆｉベースバンド処理部と、Ｗｉ−Ｆｉ無線周波数処理部とを含んでよい。
【００５４】
Ｗｉ−Ｆｉ無線周波数処理部は、結合装置により送信された第２の無線周波数信号を受信し、当該第２の無線周波数信号に対してダウンコンバージョン処理を実行して、第２のベースバンド信号を取得し、当該第２のベースバンド信号をＷｉ−Ｆｉベースバンド処理部へ送信するように構成されている。Ｗｉ−Ｆｉベースバンド処理部は、第２のベースバンド信号を受信し、当該第２のベースバンド信号の信号強度値が、事前設定された第２の信号強度閾値より小さいか又はそれに等しいかを判定し、その判定が肯定である場合に、第２のチャネルがアイドルチャネルであると判定するように構成されている。Ｗｉ−Ｆｉベースバンド処理部はさらに、Ｗｉ−Ｆｉ信号を送信する必要がある場合に、第２のチャネルについて競合し、競合によって第２のチャネルを取得した後に、Ｗｉ−Ｆｉ信号をＷｉ−Ｆｉベースバンド信号に符号化及び変調し、Ｗｉ−Ｆｉベースバンド信号をＷｉ−Ｆｉ無線周波数処理部へ送信するように構成されてよい。Ｗｉ−Ｆｉ無線周波数処理部はさらに、Ｗｉ−Ｆｉベースバンド信号に対してアップコンバージョン処理を実行して、Ｗｉ−Ｆｉ無線周波数信号を取得し、当該Ｗｉ−Ｆｉ無線周波数信号を結合装置へ送信するように構成されている。
【００５５】
任意選択の一実装態様において、結合装置は、第１の電力分割器と、第２の電力分割器と、第３の電力分割器と、第４の電力分割器と、減衰器とを含んでよい。この場合、信号伝送装置の構造が、図４に示され得る。図４は、本発明の一実施形態による、別の信号伝送装置の概略構造図である。
【００５６】
第１の電力分割器の第１の端部が第２の電力分割器の第１の端部に接続されており、第１の電力分割器の第２の端部がＬＴＥ−Ｕ処理部の出力端（つまり、ＬＴＥ−Ｕ無線周波数処理部の出力端）に接続されており、第１の電力分割器の第３の端部がＷｉ−Ｆｉ処理部の出力端（つまり、Ｗｉ−Ｆｉ無線周波数処理部の出力端）に接続されており、第２の電力分割器の第２の端部がアンテナ部の入力端（つまり、電力増幅器の入力端）に接続されており、第２の電力分割器の第３の端部が減衰器の入力端に接続されており、減衰器の出力端が第３の電力分割器の第３の端部に接続されており、第３の電力分割器の第２の端部がアンテナ部の出力端（つまり、低雑音増幅器の出力端）に接続されており、第３の電力分割器の第１の端部が第４の電力分割器の第１の端部に接続されており、第４の電力分割器の第２の端部がＬＴＥ−Ｕ処理部の入力端（つまり、ＬＴＥ−Ｕ無線周波数処理部の入力端）に接続されており、第４の電力分割器の第３の端部がＷｉ−Ｆｉ処理部の入力端（つまり、Ｗｉ−Ｆｉ無線周波数処理部の入力端）に接続されている。
【００５７】
具体的には、図４の結合装置の動作原理が以下のように説明される。
【００５８】
第３の電力分割器は、低雑音増幅器からのエアインタフェース無線周波数信号を、第３の無線周波数信号に変換するように構成されている。第４の電力分割器は、第３の無線周波数信号を第１の無線周波数信号と第２の無線周波数信号とに変換し、第１の無線周波数信号をＬＴＥ−Ｕ無線周波数処理部へ送信し、第２の無線周波数信号をＷｉ−Ｆｉ無線周波数処理部へ送信するように構成されている。第１の電力分割器は、ＬＴＥ−Ｕ無線周波数処理部により送信されたＬＴＥ−Ｕ無線周波数信号を、第３のＬＴＥ−Ｕ無線周波数信号に変換するように構成されている。第２の電力分割器は、第３のＬＴＥ−Ｕ無線周波数信号を、第４のＬＴＥ−Ｕ無線周波数信号と、電力増幅器に送信される第１のＬＴＥ−Ｕ無線周波数信号とに変換するように構成されている。減衰器は、第４のＬＴＥ−Ｕ無線周波数信号の信号強度を減衰させ、信号強度の減衰を経た第４のＬＴＥ−Ｕ無線周波数信号を第３の電力分割器へ送信するように構成されている。第３の電力分割器はさらに、信号強度の減衰を経た第４のＬＴＥ−Ｕ無線周波数信号を、第５のＬＴＥ−Ｕ無線周波数信号に変換するように構成されている。第４の電力分割器はさらに、第５のＬＴＥ−Ｕ無線周波数信号を第２のＬＴＥ−Ｕ無線周波数信号に変換し、第２のＬＴＥ−Ｕ無線周波数信号をＷｉ−Ｆｉ無線周波数処理部へ送信するように構成されている。第１の電力分割器はさらに、Ｗｉ−Ｆｉ無線周波数処理部により送信されたＷｉ−Ｆｉ無線周波数信号を、第３のＷｉ−Ｆｉ無線周波数信号に変換するように構成されている。第２の電力分割器はさらに、第３のＷｉ−Ｆｉ無線周波数信号を、第４のＷｉ−Ｆｉ無線周波数信号と、電力増幅器に送信される第１のＷｉ−Ｆｉ無線周波数信号とに変換するように構成されている。減衰器はさらに、第４のＷｉ−Ｆｉ無線周波数信号の信号強度を減衰させ、信号強度の減衰を経た第４のＷｉ−Ｆｉ無線周波数信号を第３の電力分割器へ送信するように構成されてよい。第３の電力分割器はさらに、信号強度の減衰を経た第４のＷｉ−Ｆｉ無線周波数信号を、第５のＷｉ−Ｆｉ無線周波数信号に変換するように構成されてよい。第４の電力分割器はさらに、第５のＷｉ−Ｆｉ無線周波数信号を第２のＷｉ−Ｆｉ無線周波数信号に変換し、第２のＷｉ−Ｆｉ無線周波数信号をＬＴＥ−Ｕ無線周波数処理部へ送信するように構成されてよい。第１の電力分割器、第２の電力分割器、第３の電力分割器、第４の電力分割器、及び減衰器によって、信号伝送装置がＬＴＥ−Ｕ信号及びＷｉ−Ｆｉ信号を送信できるだけでなく、電力増幅器、低雑音増幅器、無線周波数スイッチ、及びアンテナを省くこともできる。したがって、信号伝送装置は、サイズが小さくなり、配置コストが低くなる。さらに、図４の減衰器は、Ｗｉ−Ｆｉ処理部及びＬＴＥ−Ｕ処理部が、比較的強い信号強度を有する信号を互いに受信するのを防止することができ、その結果、干渉を低減して、信号伝送装置が遮断され、又は浪費されるのを防止することができる。
【００５９】
別の任意選択の実装態様において、結合装置は、第１の電力分割器と、第２の電力分割器と、第１の結合器と、第２の結合器と、減衰器とを含んでよい。この場合、信号伝送装置の構造が、図５に示され得る。図５は、本発明の一実施形態による、さらに別の信号伝送装置の概略構造図である。
【００６０】
第１の電力分割器の第１の端部が第１の結合器の第１の端部に接続されており、第１の電力分割器の第２の端部がＬＴＥ−Ｕ処理部の出力端（つまり、ＬＴＥ−Ｕ無線周波数処理部の出力端）に接続されており、第１の電力分割器の第３の端部がＷｉ−Ｆｉ処理部の出力端（つまり、Ｗｉ−Ｆｉ無線周波数処理部の出力端）に接続されており、第１の結合器の第２の端部がアンテナ部の入力端（つまり、電力増幅器の入力端）に接続されており、第１の結合器の第３の端部が減衰器の入力端に接続されており、減衰器の出力端が第２の結合器の第３の端部に接続されており、第２の結合器の第１の端部がアンテナ部の出力端（つまり、低雑音増幅器の出力端）に接続されており、第２の結合器の第２の端部が第２の電力分割器の第１の端部に接続されており、第２の電力分割器の第２の端部がＬＴＥ−Ｕ処理部の入力端（つまり、ＬＴＥ−Ｕ無線周波数処理部の入力端）に接続されており、第２の電力分割器の第３の端部がＷｉ−Ｆｉ処理部の入力端（つまり、Ｗｉ−Ｆｉ無線周波数処理部の入力端）に接続されている。
【００６１】
具体的には、図５の結合装置の動作原理が以下のように説明される。
【００６２】
第２の結合器は、低雑音増幅器からのエアインタフェース無線周波数信号を、第３の無線周波数信号に変換するように構成されている。第２の電力分割器は、第３の無線周波数信号を第１の無線周波数信号と第２の無線周波数信号とに変換し、第１の無線周波数信号をＬＴＥ−Ｕ無線周波数処理部へ送信し、第２の無線周波数信号をＷｉ−Ｆｉ無線周波数処理部へ送信するように構成されている。第１の電力分割器は、ＬＴＥ−Ｕ無線周波数処理部により送信されたＬＴＥ−Ｕ無線周波数信号を、第３のＬＴＥ−Ｕ無線周波数信号に変換するように構成されている。第１の結合器は、第３のＬＴＥ−Ｕ無線周波数信号を、第４のＬＴＥ−Ｕ無線周波数信号と、電力増幅器に送信される第１のＬＴＥ−Ｕ無線周波数信号とに変換するように構成されている。減衰器は、第４のＬＴＥ−Ｕ無線周波数信号の信号強度を減衰させ、信号強度の減衰を経た第４のＬＴＥ−Ｕ無線周波数信号を第２の結合器へ送信するように構成されている。第２の結合器はさらに、信号強度の減衰を経た第４のＬＴＥ−Ｕ無線周波数信号を、第５のＬＴＥ−Ｕ無線周波数信号に変換するように構成されてよい。第２の電力分割器はさらに、第５のＬＴＥ−Ｕ無線周波数信号を第２のＬＴＥ−Ｕ無線周波数信号に変換し、第２のＬＴＥ−Ｕ無線周波数信号をＷｉ−Ｆｉ無線周波数処理部へ送信するように構成されてよい。第１の電力分割器はさらに、Ｗｉ−Ｆｉ無線周波数処理部により送信されたＷｉ−Ｆｉ無線周波数信号を、第３のＷｉ−Ｆｉ無線周波数信号に変換するように構成されている。第１の結合器はさらに、第３のＷｉ−Ｆｉ無線周波数信号を、第４のＷｉ−Ｆｉ無線周波数信号と、電力増幅器に送信される第１のＷｉ−Ｆｉ無線周波数信号とに変換するように構成されている。減衰器はさらに、第４のＷｉ−Ｆｉ無線周波数信号の信号強度を減衰させ、信号強度の減衰を経た第４のＷｉ−Ｆｉ無線周波数信号を第２の結合器へ送信するように構成されてよい。第２の結合器はさらに、信号強度の減衰を経た第４のＷｉ−Ｆｉ無線周波数信号を、第５のＷｉ−Ｆｉ無線周波数信号に変換するように構成されてよい。第２の電力分割器はさらに、第５のＷｉ−Ｆｉ無線周波数信号を第２のＷｉ−Ｆｉ無線周波数信号に変換し、第２のＷｉ−Ｆｉ無線周波数信号をＬＴＥ−Ｕ無線周波数処理部へ送信するように構成されてよい。第１の電力分割器、第２の電力分割器、第１の結合器、第２の結合器、及び減衰器によって、信号伝送装置がＬＴＥ−Ｕ信号及びＷｉ−Ｆｉ信号を送信できるだけでなく、電力増幅器、低雑音増幅器、無線周波数スイッチ、及びアンテナを省くこともできる。したがって、信号伝送装置は、サイズが小さくなり、配置コストが低くなる。さらに、図５の減衰器は、Ｗｉ−Ｆｉ処理部及びＬＴＥ−Ｕ処理部が、比較的強い信号強度を有する信号を互いに受信するのを防止することができ、その結果、干渉を低減して、信号伝送装置が遮断され、又は浪費されるのを防止することができる。
【００６３】
さらに別の任意選択の実装態様において、結合装置は、第１の電力分割器と、第２の電力分割器と、第３の電力分割器と、第４の電力分割器と、第５の電力分割器と、第６の電力分割器と、第１の減衰器と、第２の減衰器とを含んでよい。この場合、信号伝送装置の構造が、図６に示され得る。図６は、本発明の一実施形態による、さらに別の信号伝送装置の概略構造図である。
【００６４】
第１の電力分割器の第１の端部がＷｉ−Ｆｉ処理部の出力端（つまり、Ｗｉ−Ｆｉ無線周波数処理部の出力端）に接続されており、第１の電力分割器の第２の端部が第２の電力分割器の第２の端部に接続されており、第２の電力分割器の第１の端部がアンテナ部の入力端（つまり、電力増幅器の入力端）に接続されており、第１の電力分割器の第３の端部が第１の減衰器の入力端に接続されており、第１の減衰器の出力端が第４の電力分割器の第３の端部に接続されており、第４の電力分割器の第２の端部が第３の電力分割器の第２の端部に接続されており、第３の電力分割器の第１の端部がアンテナ部の出力端（つまり、低雑音増幅器の出力端）に接続されており、第４の電力分割器の第１の端部がＬＴＥ−Ｕ処理部の入力端（つまり、ＬＴＥ−Ｕ無線周波数処理部の入力端）に接続されており、第６の電力分割器の第１の端部がＬＴＥ−Ｕ処理部の出力端（つまり、ＬＴＥ−Ｕ無線周波数処理部の出力端）に接続されており、第６の電力分割器の第３の端部が第２の電力分割器の第３の端部に接続されており、第６の電力分割器の第２の端部が第２の減衰器の入力端に接続されており、第２の減衰器の出力端が第５の電力分割器の第２の端部に接続されており、第５の電力分割器の第３の端部が第３の電力分割器の第３の端部に接続されており、第５の電力分割器の第１の端部がＷｉ−Ｆｉ処理部の入力端（つまり、Ｗｉ−Ｆｉ無線周波数処理部の入力端）に接続されている。
【００６５】
具体的には、図６の結合装置の動作原理が以下のように説明される。
【００６６】
第３の電力分割器は、低雑音増幅器からのエアインタフェース無線周波数信号を、第３の無線周波数信号と第４の無線周波数信号とに変換するように構成されている。第４の電力分割器は、第３の無線周波数信号を第１の無線周波数信号に変換し、第１の無線周波数信号をＬＴＥ−Ｕ無線周波数処理部へ送信するように構成されている。第５の電力分割器は、第４の無線周波数信号を第２の無線周波数信号に変換し、第２の無線周波数信号をＷｉ−Ｆｉ無線周波数処理部へ送信するように構成されている。第６の電力分割器は、ＬＴＥ−Ｕ無線周波数処理部により送信されたＬＴＥ−Ｕ無線周波数信号を、第３のＬＴＥ−Ｕ無線周波数信号と第４のＬＴＥ−Ｕ無線周波数信号とに変換するように構成されている。第２の電力分割器は、第３のＬＴＥ−Ｕ無線周波数信号を第１のＬＴＥ−Ｕ無線周波数信号に変換し、第１のＬＴＥ−Ｕ無線周波数信号を電力増幅器へ送信するように構成されている。第２の減衰器は、第４のＬＴＥ−Ｕ無線周波数信号の信号強度を減衰させるように構成されている。第５の電力分割器はさらに、信号強度の減衰を経た第４のＬＴＥ−Ｕ無線周波数信号を、第２のＬＴＥ−Ｕ無線周波数信号に変換し、第２のＬＴＥ−Ｕ無線周波数信号をＷｉ−Ｆｉ無線周波数処理部へ送信するように構成されてよい。第１の電力分割器は、Ｗｉ−Ｆｉ無線周波数処理部により送信されたＷｉ−Ｆｉ無線周波数信号を、第３のＷｉ−Ｆｉ無線周波数信号と第４のＷｉ−Ｆｉ無線周波数信号とに変換するように構成されている。第２の電力分割器はさらに、第３のＷｉ−Ｆｉ無線周波数信号を第１のＷｉ−Ｆｉ無線周波数信号に変換し、第１のＷｉ−Ｆｉ無線周波数信号を電力増幅器へ送信するように構成されてよい。第１の減衰器は、第４のＷｉ−Ｆｉ無線周波数信号の信号強度を減衰させるように構成されている。第４の電力分割器はさらに、信号強度の減衰を経た第４のＷｉ−Ｆｉ無線周波数信号を第２のＷｉ−Ｆｉ無線周波数信号に変換し、第２のＷｉ−Ｆｉ無線周波数信号をＬＴＥ−Ｕ無線周波数処理部へ送信するように構成されてよい。このように、信号伝送装置がＬＴＥ−Ｕ信号及びＷｉ−Ｆｉ信号を送信できるだけでなく、電力増幅器、低雑音増幅器、無線周波数スイッチ、及びアンテナを省くこともできる。したがって、信号伝送装置は、サイズが小さくなり、配置コストが低くなる。さらに、図６の減衰器（第１の減衰器及び第２の減衰器）は、Ｗｉ−Ｆｉ処理部及びＬＴＥ−Ｕ処理部が、比較的強い信号強度を有する信号を互いに受信するのを防止することができ、その結果、干渉を低減して、信号伝送装置が遮断され、又は浪費されるのを防止することができる。
【００６７】
図７を参照すると、図７は、本発明の一実施形態による、さらに別の信号伝送装置の概略構造図である。信号伝送装置は、ＬＴＥ−Ｕ処理部と、Ｗｉ−Ｆｉ処理部と、アンテナ部と、結合装置とを含んでよい。結合装置は、ＬＴＥ−Ｕ処理部と、Ｗｉ−Ｆｉ処理部と、アンテナ部とに接続されており、ＬＴＥ−Ｕ処理部はＷｉ−Ｆｉ処理部に接続されている。
【００６８】
アンテナ部は、エアインタフェース信号を受信して、当該エアインタフェース信号を結合装置へ送信するように構成されている。
【００６９】
アンテナ部はさらに、結合装置により送信された信号（ＬＴＥ−Ｕ信号又はＷｉ−Ｆｉ信号）を受信して、当該信号を伝送するように構成されている。
【００７０】
結合装置は、エアインタフェース信号を受信し、当該エアインタフェース信号を第１の信号及び第２の信号に分割し、第１の信号をＬＴＥ−Ｕ処理部へ送信し、第２の信号をＷｉ−Ｆｉ処理部へ送信するように構成されている。
【００７１】
結合装置はさらに、ＬＴＥ−Ｕ処理部により送信されたＬＴＥ−Ｕ信号を受信し、アンテナ部がＬＴＥ−Ｕ信号を伝送するように、ＬＴＥ−Ｕ信号をアンテナ部へ送信するように構成されている。
【００７２】
結合装置はさらに、Ｗｉ−Ｆｉ処理部により送信されたＷｉ−Ｆｉ信号を受信し、アンテナ部がＷｉ−Ｆｉ信号を伝送するように、Ｗｉ−Ｆｉ信号をアンテナ部へ送信するように構成されている。
【００７３】
任意選択で、第１のプロンプト情報は、第１のチャネルが占有される開始時刻であってよく、第２のプロンプト情報は、第２のチャネルが占有される開始時刻であってよい。このことは、本発明の本実施形態において限定されない。
【００７４】
ＬＴＥ−Ｕ処理部は、ＬＴＥ−Ｕ信号を結合装置へ送信する必要がある場合に、Ｗｉ−Ｆｉ処理部がＷｉ−Ｆｉ信号を送信しないように、第１のプロンプトメッセージをＷｉ−Ｆｉ処理部へ送信するように構成されている。
【００７５】
Ｗｉ−Ｆｉ処理部は、Ｗｉ−Ｆｉ信号を結合装置へ送信する必要がある場合に、ＬＴＥ−Ｕ処理部がＬＴＥ−Ｕ信号を送信しないように、第２のプロンプトメッセージをＬＴＥ−Ｕ処理部へ送信するように構成されている。
【００７６】
本発明の本実施形態において、例えば、ＬＴＥ−Ｕ処理部がＬＴＥ−Ｕ信号を結合装置へ送信する具体的な処理が、以下のように説明され得る。
【００７７】
ＬＴＥ−Ｕ処理部は、第１の信号を受信し、当該第１の信号の信号強度値が、事前設定された第１の信号強度閾値より小さいかどうかを判定し、その判定結果が肯定である場合に、ＬＴＥ−Ｕ信号が送信されるチャネルである第１のチャネルが、アイドルチャネルであると判定し、ＬＴＥ−Ｕ信号を送信する必要がある場合に、第１のチャネルについて競合し、競合によって第１のチャネルを取得した場合に、ＬＴＥ−Ｕ信号を結合装置へ送信する。ＬＴＥ−Ｕ処理部が第１のチャネルについて競合する具体的な方式は、ランダムな時間を生成することと、時間計測を開始することと、時間計測を開始した時間からランダムな時間までの期間内に、第１のチャネルがまだアイドルチャネルである場合に、競合によって第１のチャネルを取得することとであってよい。
【００７８】
本発明の本実施形態において、例えば、Ｗｉ−Ｆｉ処理部がＷｉ−Ｆｉ信号を結合装置へ送信する具体的な処理が、以下のように説明され得る。
【００７９】
Ｗｉ−Ｆｉ処理部は、第２の信号を受信し、当該第２の信号の信号強度値が、事前設定された第２の信号強度閾値より小さいか又はそれに等しいかを判定し、その判定結果が肯定である場合に、Ｗｉ−Ｆｉ信号が送信されるチャネルである第２のチャネルが、アイドルチャネルであると判定し、Ｗｉ−Ｆｉ信号を送信する必要がある場合に、第２のチャネルについて競合し、競合によって第２のチャネルを取得した場合に、Ｗｉ−Ｆｉ信号を結合装置へ送信する。Ｗｉ−Ｆｉ処理部が第２のチャネルについて競合する具体的な方式は、ランダムな時間を生成することと、時間計測を開始することと、時間計測を開始した時間からランダムな時間までの期間内に、第２のチャネルがまだアイドルチャネルである場合に、競合によって第２のチャネルを取得することとであってよい。
【００８０】
信号伝送装置は、ＬＴＥ−Ｕ処理部と、Ｗｉ−Ｆｉ処理部と、アンテナ部と、結合装置とを含むことが分かり得る。信号伝送装置は、基地局又は移動通信デバイスに容易に配置される。ＬＴＥ−Ｕ処理部は、ＬＴＥ−Ｕ信号を送信する場合に、Ｗｉ−Ｆｉ処理部がＷｉ−Ｆｉ信号を送信しないように、Ｗｉ−Ｆｉ処理部に通知を提供し、又は、Ｗｉ−Ｆｉ処理部は、Ｗｉ−Ｆｉ信号を送信する場合に、ＬＴＥ−Ｕ処理部がＬＴＥ−Ｕ信号を送信しないように、ＬＴＥ−Ｕ処理部に通知を提供する。このように、ＬＴＥ−Ｕ技術は、時分割多重方式でＷｉ−Ｆｉ技術と互換性を有し、アンテナ部が省かれ得る。したがって、信号伝送装置は、サイズが小さくなり、配置コストが低くなる。
【００８１】
本発明の本実施形態において、アンテナ部は、電力増幅器と、低雑音増幅器と、無線周波数スイッチと、アンテナとを含んでよい。
【００８２】
アンテナは、エアインタフェース無線周波数信号を受信し、無線周波数スイッチが受信モードにある場合に、当該エアインタフェース無線周波数信号を低雑音増幅器へ送信するように構成されている。低雑音増幅器は、低雑音増幅器により受信されたエアインタフェース無線周波数信号を増幅し、増幅されたエアインタフェース無線周波数信号を結合装置へ送信するように構成されており、これにより、結合装置は、増幅されたエアインタフェース無線周波数信号を第１の無線周波数信号及び第２の無線周波数信号に分割する。電力増幅器は、結合装置により送信された信号を受信し、当該信号の電力を増幅し、無線周波数スイッチが伝送モードにある場合に、アンテナが電力増幅された信号を伝送するように、電力増幅された信号をアンテナへ送信するように構成されている。
【００８３】
本発明の本実施形態において、ＬＴＥ−Ｕ処理部は、ＬＴＥ−Ｕベースバンド処理部と、ＬＴＥ−Ｕ無線周波数処理部とを含んでよい。
【００８４】
ＬＴＥ−Ｕ無線周波数処理部は、結合装置により送信された第１の無線周波数信号を受信し、当該第１の無線周波数信号に対してダウンコンバージョン処理を実行して、第１のベースバンド信号を取得し、当該第１のベースバンド信号をＬＴＥ−Ｕベースバンド処理部へ送信するように構成されている。ＬＴＥ−Ｕベースバンド処理部は、第１のベースバンド信号を受信し、当該第１のベースバンド信号の信号強度値が、事前設定された第１の信号強度閾値より小さいか又はそれに等しいかを判定し、その判定が肯定である場合に、第１のチャネルがアイドルチャネルであると判定するように構成されている。ＬＴＥ−Ｕベースバンド処理部はさらに、ＬＴＥ−Ｕ信号を送信する必要がある場合に、第１のチャネルについて競合し、競合によって第１のチャネルを取得した後に、第１のプロンプト情報をＷｉ−Ｆｉ処理部へ送信し、ＬＴＥ−Ｕ信号をＬＴＥ−Ｕベースバンド信号に符号化及び変調し、ＬＴＥ−Ｕベースバンド信号をＬＴＥ−Ｕ無線周波数処理部へ送信するように構成されている。ＬＴＥ−Ｕ無線周波数処理部はさらに、ＬＴＥ−Ｕベースバンド信号に対してアップコンバージョン処理を実行して、ＬＴＥ−Ｕ無線周波数信号を取得し、当該ＬＴＥ−Ｕ無線周波数信号を結合装置へ送信するように構成されている。
【００８５】
本発明の本実施形態において、Ｗｉ−Ｆｉ処理部は、Ｗｉ−Ｆｉベースバンド処理部と、Ｗｉ−Ｆｉ無線周波数処理部とを含んでよい。
【００８６】
Ｗｉ−Ｆｉ無線周波数処理部は、結合装置により送信された第２の無線周波数信号を受信し、当該第２の無線周波数信号に対してダウンコンバージョン処理を実行して、第２のベースバンド信号を取得し、当該第２のベースバンド信号をＷｉ−Ｆｉベースバンド処理部へ送信するように構成されている。Ｗｉ−Ｆｉベースバンド処理部は、第２のベースバンド信号を受信し、当該第２のベースバンド信号の信号強度値が、事前設定された第２の信号強度閾値より小さいか又はそれに等しいかを判定し、その判定が肯定である場合に、第２のチャネルがアイドルチャネルであると判定するように構成されている。Ｗｉ−Ｆｉベースバンド処理部はさらに、Ｗｉ−Ｆｉ信号を送信する必要がある場合に、第２のチャネルについて競合し、競合によって第２のチャネルを取得した後に、第２のプロンプト情報をＬＴＥ−Ｕベースバンド処理部へ送信し、Ｗｉ−Ｆｉ信号をＷｉ−Ｆｉベースバンド信号に符号化及び変調し、Ｗｉ−Ｆｉベースバンド信号をＷｉ−Ｆｉ無線周波数処理部へ送信するように構成されてよい。Ｗｉ−Ｆｉ無線周波数処理部はさらに、Ｗｉ−Ｆｉベースバンド信号に対してアップコンバージョン処理を実行して、Ｗｉ−Ｆｉ無線周波数信号を取得し、当該Ｗｉ−Ｆｉ無線周波数信号を結合装置へ送信するように構成されている。
【００８７】
別の任意選択の実装態様において、結合装置は、第１の電力分割器と、第２の電力分割器とを含んでよい。この場合、信号伝送装置の構造が、図８に示され得る。図８は、本発明の一実施形態による、さらに別の信号伝送装置の概略構造図である。
【００８８】
第１の電力分割器の第１の端部がアンテナ部の入力端（つまり、電力増幅器の入力端）に接続されており、第１の電力分割器の第２の端部がＬＴＥ−Ｕ処理部の出力端（つまり、ＬＴＥ−Ｕ無線周波数処理部の出力端）に接続されており、第１の電力分割器の第３の端部がＷｉ−Ｆｉ処理部の出力端（つまり、Ｗｉ−Ｆｉベースバンド処理部の出力端）に接続されており、第２の電力分割器の第１の端部がアンテナ部の出力端（つまり、低雑音増幅器の出力端）に接続されており、第２の電力分割器の第２の端部がＬＴＥ−Ｕ処理部の入力端（つまり、ＬＴＥ−Ｕ無線周波数処理部の入力端）に接続されており、第２の電力分割器の第３の端部がＷｉ−Ｆｉ処理部の入力端（つまり、Ｗｉ−Ｆｉベースバンド処理部の入力端）に接続されている。
【００８９】
具体的には、図８の結合装置の動作原理が以下のように説明される。
【００９０】
第２の電力分割器は、低雑音増幅器により送信されたエアインタフェース無線周波数信号を、第１の無線周波数信号と第２の無線周波数信号とに変換し、第１の無線周波数信号をＬＴＥ−Ｕ無線周波数処理部へ送信し、第２の無線周波数信号をＷｉ−Ｆｉ無線周波数処理部へ送信するように構成されている。第１の電力分割器は、ＬＴＥ−Ｕ無線周波数処理部により送信されたＬＴＥ−Ｕ無線周波数信号を、第１のＬＴＥ−Ｕ無線周波数信号に変換し、第１のＬＴＥ−Ｕ無線周波数信号を電力増幅器へ送信するように構成されている。第１の電力分割器はさらに、Ｗｉ−Ｆｉ無線周波数処理部により送信されたＷｉ−Ｆｉ無線周波数信号を、第１のＷｉ−Ｆｉ無線周波数信号に変換し、第１のＷｉ−Ｆｉ無線周波数信号を電力増幅器へ送信するように構成されている。第１の電力分割器及び第２の電力分割器によって、信号伝送装置は、ＬＴＥ−Ｕ信号及びＷｉ−Ｆｉ信号を送信することができ、さらにＬＴＥ−Ｕ処理部は、ＬＴＥ−Ｕ無線周波数信号を送信する場合に、Ｗｉ−Ｆｉ処理部がＷｉ−Ｆｉ無線周波数信号を送信しないように、Ｗｉ−Ｆｉ処理部に通知を提供することができ、またＷｉ−Ｆｉ処理部は、Ｗｉ−Ｆｉ無線周波数信号を送信する場合に、ＬＴＥ−Ｕ処理部がＬＴＥ−Ｕ無線周波数信号を送信しないように、ＬＴＥ−Ｕ処理部に通知を提供することができる。このように、ＬＴＥ−Ｕ技術は、時分割多重方式でＷｉ−Ｆｉ技術と互換性を有し、電力増幅器、低雑音増幅器、無線周波数スイッチ、及びアンテナが省かれ得る。したがって、信号伝送装置は、サイズが小さくなり、配置コストが低くなる。さらに、ＬＴＥ−Ｕ処理部及びＷｉ−Ｆｉ処理部は、互いに信号を受信することができず、その結果、比較的強い信号強度を有する信号を相互に受信することが原因で、信号伝送装置が遮断され、又は浪費されるという場合を回避し、高いセキュリティを実現して干渉を低減する。
【００９１】
図９を参照すると、図９は、本発明の一実施形態による、さらに別の信号伝送装置の概略構造図である。図９に示されるように、信号伝送装置は、ＬＴＥ−Ｕ処理部と、Ｗｉ−Ｆｉ処理部と、アンテナ部と、制御部と、結合装置とを含んでよい。結合装置は、ＬＴＥ−Ｕ処理部と、Ｗｉ−Ｆｉ処理部と、制御部と、アンテナ部とに接続されており、制御部は、ＬＴＥ−Ｕ処理部と、Ｗｉ−Ｆｉ処理部と、結合装置とに接続されている。
【００９２】
アンテナ部は、エアインタフェース信号を受信して、当該エアインタフェース信号を結合装置へ送信するように構成されている。
【００９３】
アンテナ部はさらに、結合装置により送信された信号（ＬＴＥ−Ｕ信号又はＷｉ−Ｆｉ信号）を受信して、当該信号を伝送するように構成されている。
【００９４】
結合装置は、アンテナ部により送信されたエアインタフェース信号を、第１の信号、第２の信号、及び第３の信号に分割し、第１の信号をＬＴＥ−Ｕ処理部へ送信し、第２の信号をＷｉ−Ｆｉ処理部へ送信し、第３の信号を制御部へ送信するように構成されている。
【００９５】
制御部は、チャネルがアイドル状態であることを検出した場合に、チャネルについて競合し、競合によってチャネルが取得された場合に、ＬＴＥ−Ｕ信号を送信するようにＬＴＥ−Ｕ処理部を制御し、且つＷｉ−Ｆｉ信号を送信しないようにＷｉ−Ｆｉ処理部を制御する、又は、Ｗｉ−Ｆｉ信号を送信するようにＷｉ−Ｆｉ処理部を制御し、且つＬＴＥ−Ｕ信号を送信しないようにＬＴＥ−Ｕ処理部を制御するように構成されている。チャネルがアイドル状態であることを、制御部が検出する具体的な方式は、第３の信号の信号強度値が、事前設定された信号強度閾値より小さいか又はそれに等しいかを判定することと、その判定結果が肯定である場合に、チャネルがアイドル状態であると判定することとであってよい。制御部がチャネルについて競合する具体的な方式は、ランダムな時間を生成することと、時間計測を開始することと、時間計測を開始した時間からランダムな時間までの期間内に、チャネルがまだアイドルチャネルである場合に、競合によってチャネルを取得することとであってよい。競合によってチャネルを取得した後に、制御部は、事前設定された選択ルールに従って、送信される必要がある信号を判定してよい。つまり、制御部は、ＬＴＥ−Ｕ信号を送信するようにＬＴＥ−Ｕ処理部を制御する場合、Ｗｉ−Ｆｉ信号を送信しないようにＷｉ−Ｆｉ処理部を制御する、又は、制御部は、Ｗｉ−Ｆｉ信号を送信するようにＷｉ−Ｆｉ処理部を制御する場合、ＬＴＥ−Ｕ信号を送信しないようにＬＴＥ−Ｕ処理部を制御する。事前設定された選択ルールは、ランダム選択ルール、優先順位選択ルール（つまり、より高い優先順位を有するサービスを搬送する信号が、優先的に選択される）、又は遅延選択ルール（つまり、より高い遅延要件を有するサービスを搬送する信号が、優先的に選択される）であってよい。このことは、本発明の本実施形態において限定されない。
【００９６】
結合装置はさらに、ＬＴＥ−Ｕ処理部により送信されたＬＴＥ−Ｕ信号を受信し、アンテナ部がＬＴＥ−Ｕ信号を伝送するように、ＬＴＥ−Ｕ信号をアンテナ部へ送信するように構成されている。
【００９７】
結合装置はさらに、Ｗｉ−Ｆｉ処理部により送信されたＷｉ−Ｆｉ信号を受信し、アンテナ部がＷｉ−Ｆｉ信号を伝送するように、Ｗｉ−Ｆｉ信号をアンテナ部へ送信するように構成されている。
【００９８】
本発明の本実施形態において、アンテナ部は、電力増幅器と、低雑音増幅器と、無線周波数スイッチと、アンテナとを含んでよい。
【００９９】
アンテナは、エアインタフェース無線周波数信号を受信し、無線周波数スイッチが受信モードにある場合に、当該エアインタフェース無線周波数信号を低雑音増幅器へ送信するように構成されている。低雑音増幅器は、低雑音増幅器により受信されたエアインタフェース無線周波数信号を増幅し、増幅されたエアインタフェース無線周波数信号を結合装置へ送信するように構成されており、これにより、結合装置は、増幅されたエアインタフェース無線周波数信号を第１の無線周波数信号、第２の無線周波数信号、及び第３の無線周波数信号に分割する。電力増幅器は、結合装置により送信された信号を受信し、当該信号の電力を増幅し、無線周波数スイッチが伝送モードにある場合に、アンテナが電力増幅された信号を伝送するように、電力増幅された信号をアンテナへ送信するように構成されている。
【０１００】
本発明の本実施形態において、ＬＴＥ−Ｕ処理部は、ＬＴＥ−Ｕベースバンド処理部と、ＬＴＥ−Ｕ無線周波数処理部とを含んでよい。
【０１０１】
ＬＴＥ−Ｕ無線周波数処理部は、結合装置により送信された第１の無線周波数信号を受信し、当該第１の無線周波数信号に対してダウンコンバージョン処理を実行して、第１のベースバンド信号を取得し、当該第１のベースバンド信号をＬＴＥ−Ｕベースバンド処理部へ送信するように構成されている。ＬＴＥ−Ｕベースバンド処理部は、第１のベースバンド信号を受信するように構成されている。ＬＴＥ−Ｕベースバンド処理部はさらに、制御部の制御のもとで、ＬＴＥ−Ｕ信号をＬＴＥ−Ｕベースバンド信号に符号化及び変調し、ＬＴＥ−Ｕベースバンド信号をＬＴＥ−Ｕ無線周波数処理部へ送信するように構成されている。ＬＴＥ−Ｕ無線周波数処理部はさらに、ＬＴＥ−Ｕベースバンド信号に対してアップコンバージョン処理を実行して、ＬＴＥ−Ｕ無線周波数信号を取得し、当該ＬＴＥ−Ｕ無線周波数信号を結合装置へ送信するように構成されている。
【０１０２】
本発明の本実施形態において、Ｗｉ−Ｆｉ処理部は、Ｗｉ−Ｆｉベースバンド処理部と、Ｗｉ−Ｆｉ無線周波数処理部とを含んでよい。
【０１０３】
Ｗｉ−Ｆｉ無線周波数処理部は、結合装置により送信された第２の無線周波数信号を受信し、当該第２の無線周波数信号に対してダウンコンバージョン処理を実行して、第２のベースバンド信号を取得し、当該第２のベースバンド信号をＷｉ−Ｆｉベースバンド処理部へ送信するように構成されている。Ｗｉ−Ｆｉベースバンド処理部は、第２のベースバンド信号を受信するように構成されている。Ｗｉ−Ｆｉベースバンド処理部はさらに、制御部の制御のもとで、Ｗｉ−Ｆｉ信号をＷｉ−Ｆｉベースバンド信号に符号化及び変調し、Ｗｉ−Ｆｉベースバンド信号をＷｉ−Ｆｉ無線周波数処理部へ送信するように構成されている。Ｗｉ−Ｆｉ無線周波数処理部はさらに、Ｗｉ−Ｆｉベースバンド信号に対してアップコンバージョン処理を実行して、Ｗｉ−Ｆｉ無線周波数信号を取得し、当該Ｗｉ−Ｆｉ無線周波数信号を結合装置へ送信するように構成されている。
【０１０４】
任意選択の一実装態様において、結合装置は、第１の電力分割器と、第２の電力分割器とを含んでよい。この場合、信号伝送装置の構造が、図１０に示され得る。図１０は、本発明の一実施形態による、さらに別の信号伝送装置の概略構造図である。
【０１０５】
第１の電力分割器の第１の端部がアンテナ部の入力端（つまり、電力増幅器の入力端）に接続されており、第１の電力分割器の第２の端部がＬＴＥ−Ｕ処理部の出力端（つまり、ＬＴＥ−Ｕ無線周波数処理部の出力端）に接続されており、第１の電力分割器の第３の端部がＷｉ−Ｆｉ処理部の出力端（つまり、Ｗｉ−Ｆｉ無線周波数処理部の出力端）に接続されており、第２の電力分割器の第１の端部がアンテナ部の出力端（つまり、低雑音増幅器の出力端）に接続されており、第２の電力分割器の第２の端部がＬＴＥ−Ｕ処理部の入力端（つまり、ＬＴＥ−Ｕ無線周波数処理部の入力端）に接続されており、第２の電力分割器の第３の端部がＷｉ−Ｆｉ処理部の入力端（つまり、Ｗｉ−Ｆｉ無線周波数処理部の入力端）に接続されており、第２の電力分割器の第４の端部が制御部の入力端に接続されている。
【０１０６】
具体的には、図１０の結合装置の動作原理が以下のように説明される。
【０１０７】
第２の電力分割器は、低雑音増幅器からのエアインタフェース無線周波数信号を、第１の無線周波数信号、第２の無線周波数信号、及び第３の無線周波数信号に変換し、第１の無線周波数信号をＬＴＥ−Ｕ無線周波数処理部へ送信し、第２の無線周波数信号をＷｉ−Ｆｉ無線周波数処理部へ送信し、第３の無線周波数信号を制御部へ送信する。第１の電力分割器は、ＬＴＥ−Ｕ無線周波数処理部又はＷｉ−Ｆｉ無線周波数処理部により送信された第１の無線周波数信号を受信し、第１の無線周波数信号を第２の無線周波数信号に変換し、第２の無線周波数信号を電力増幅器へ送信する。
【０１０８】
本発明の本実施形態において提供された信号伝送装置によると、ＬＴＥ−Ｕ技術は、時分割多重方式でＷｉ−Ｆｉ技術と互換性を有することができ、信号伝送装置は、サイズが小さくなり、配置コストが低くなることが分かり得る。さらに、ＬＴＥ−Ｕ処理部及びＷｉ−Ｆｉ処理部は、互いに信号を受信することができず、その結果、比較的強い信号強度を有する信号を相互に受信することが原因で、信号伝送装置が遮断され、又は浪費されるという場合を回避し、高いセキュリティを実現して干渉を低減する。
【０１０９】
図１１を参照すると、図１１は、本発明の一実施形態による信号伝送方法の概略フローチャートである。図１１に示される方法は、信号伝送装置に適用されてよく、信号伝送装置は、アンテナ部を含んでよい。図１１に示されるように、信号処理方法は以下の段階を含んでよい。
【０１１０】
Ｓ１１０１：チャネルがアイドル状態かどうかを検出する。
【０１１１】
本発明の本実施形態において、段階Ｓ１１０１の検出結果が肯定である場合、段階Ｓ１１０２が実行され、又は段階Ｓ１１０１の検出結果が否定である場合、段階Ｓ１１０１が引き続き実行されてよい。
【０１１２】
Ｓ１１０２：チャネルがアイドル状態の場合に、アンテナ部は、ＬＴＥ−Ｕ信号及びＷｉ−Ｆｉ信号を時分割多重方式で伝送する。
【０１１３】
本発明の本実施形態において、アンテナ部がＬＴＥ−Ｕ信号及びＷｉ−Ｆｉ信号を時分割多重方式で伝送することは、ＬＴＥ−Ｕ信号が伝送されるときに、Ｗｉ−Ｆｉ信号は伝送されず、Ｗｉ−Ｆｉ信号が伝送されるときに、ＬＴＥ−Ｕ信号は伝送されないことを意味する。
【０１１４】
本信号伝送方法はさらに、以下の段階、つまり、エアインタフェース信号を受信する段階と、当該エアインタフェース信号を第１の信号及び第２の信号に分割する段階とを含んでよい。
【０１１５】
任意選択で、チャネルがアイドル状態の場合に、段階Ｓ１１０２が実行される前に、以下のオペレーションがさらに実行されてよい。つまり、チャネルが競合によって取得されたかどうかを判定する段階と、チャネルが競合によって取得された場合に、ＬＴＥ−Ｕ信号及びＷｉ−Ｆｉ信号を時分割多重方式でアンテナ部により伝送するオペレーションを実行する段階とである。
【０１１６】
任意選択の一実装態様において、信号伝送装置はさらに、ＬＴＥ−Ｕ処理部と、Ｗｉ−Ｆｉ処理部と、結合装置とを含んでよい。この場合、アンテナ部がＬＴＥ−Ｕ信号及びＷｉ−Ｆｉ信号を時分割多重方式で伝送することは、ＬＴＥ−Ｕ信号が伝送される必要がある場合に、ＬＴＥ−Ｕ処理部により伝送される必要があるＬＴＥ−Ｕ信号を、結合装置が第１のＬＴＥ−Ｕ信号及び第２のＬＴＥ−Ｕ信号に分割することと、アンテナ部が第１のＬＴＥ−Ｕ信号を伝送することと、結合装置が第２のＬＴＥ−Ｕ信号をＷｉ−Ｆｉ処理部へ送信することとを含んでよく、第２のＬＴＥ−Ｕ信号は、Ｗｉ−Ｆｉ信号をアンテナ部へ送信しないようにＷｉ−Ｆｉ処理部に命令するのに用いられる、又は、Ｗｉ−Ｆｉ信号が伝送される必要がある場合に、Ｗｉ−Ｆｉ処理部により伝送される必要があるＷｉ−Ｆｉ信号を、結合装置が第１のＷｉ−Ｆｉ信号及び第２のＷｉ−Ｆｉ信号に分割することと、アンテナ部が第１のＷｉ−Ｆｉ信号を伝送することと、結合装置が第２のＷｉ−Ｆｉ信号をＬＴＥ−Ｕ処理部へ送信することとを含んでよく、第２のＷｉ−Ｆｉ信号は、ＬＴＥ−Ｕ信号をアンテナ部へ送信しないようにＬＴＥ−Ｕ処理部に命令するのに用いられる。
【０１１７】
別の任意選択の実装態様において、本装置はさらに、ＬＴＥ−Ｕ処理部と、Ｗｉ−Ｆｉ処理部と、結合装置とを含んでよい。この場合、アンテナ部がＬＴＥ−Ｕ信号及びＷｉ−Ｆｉ信号を時分割多重方式で伝送することは、ＬＴＥ−Ｕ信号が伝送される必要がある場合に、伝送される必要があるＬＴＥ−Ｕ信号を、結合装置がアンテナ部へ送信することと、ＬＴＥ−Ｕ処理部が第１のプロンプトメッセージをＷｉ−Ｆｉ処理部へ送信することと、アンテナ部がＬＴＥ−Ｕ信号を伝送することとを含んでよく、第１のプロンプトメッセージは、Ｗｉ−Ｆｉ信号をアンテナ部へ送信しないようにＷｉ−Ｆｉ処理部に命令するのに用いられる、又は、Ｗｉ−Ｆｉ信号が伝送される必要がある場合に、伝送される必要があるＷｉ−Ｆｉ信号を、結合装置がアンテナ部へ送信することと、Ｗｉ−Ｆｉ処理部が第２のプロンプトメッセージをＬＴＥ−Ｕ処理部へ送信することと、アンテナ部がＷｉ−Ｆｉ信号を伝送することとを含んでよく、第２のプロンプトメッセージは、ＬＴＥ−Ｕ信号をアンテナ部へ送信しないようにＬＴＥ−Ｕ処理部に命令するのに用いられる。
【０１１８】
さらに別の任意選択の実装態様において、本装置はさらに、ＬＴＥ−Ｕ処理部と、Ｗｉ−Ｆｉ処理部と、制御部とを含んでよい。この場合、アンテナ部がＬＴＥ−Ｕ信号及びＷｉ−Ｆｉ信号を時分割多重方式で伝送することは、ＬＴＥ−Ｕ信号が伝送される必要がある場合に、制御部が、伝送される必要があるＬＴＥ−Ｕ信号をアンテナ部へ送信するようにＬＴＥ−Ｕ処理部を制御し、且つＷｉ−Ｆｉ信号をアンテナ部へ送信しないようにＷｉ−Ｆｉ処理部を制御することと、アンテナ部が、伝送される必要があるＬＴＥ−Ｕ信号を伝送することとを含んでよく、又は、Ｗｉ−Ｆｉ信号が伝送される必要がある場合に、制御部が、伝送される必要があるＷｉ−Ｆｉ信号をアンテナ部へ送信するようにＷｉ−Ｆｉ処理部を制御し、且つＬＴＥ−Ｕ信号をアンテナ部へ送信しないようにＬＴＥ−Ｕ処理部を制御することと、アンテナ部がＷｉ−Ｆｉ信号を伝送することとを含んでよい。
【０１１９】
本発明の本実施形態を実装することで、Ｗｉ−Ｆｉ技術が、時分割多重方式でＬＴＥ−Ｕ技術と互換性を有することができ、信号伝送装置ではアンテナ部が省かれ得ることが分かり得る。したがって、信号伝送装置のサイズ及び配置コストが低減される。
【０１２０】
前述の実施形態において、各実施形態の説明には、それぞれ注目点があることに留意されたい。一実施形態において詳細に説明されていない部分については、他の実施形態の関連した説明が参照されてよい。さらに、当業者であれば、本明細書において説明された実施形態が、全て好ましい実施形態に属しており、関連した動作及び装置が、必ずしも本発明に必須であるとは限らないことも理解されたい。
【０１２１】
本発明の実施形態における本方法の段階の順序は、調整されてよく、またいくつかの段階は、実際の必要性に従って、併合されるか又は削除されてもよい。
【０１２２】
当業者であれば、本実施形態における本方法の段階の全て又は一部が、関連したハードウェアに命令するプログラムによって実装され得ることを理解し得る。本プログラムは、コンピュータ可読記憶媒体に格納されてよい。記憶媒体には、フラッシュメモリ、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、光ディスクなどが含まれてよい。
【０１２３】
前述の事項は、本発明の実施形態において提供された信号伝送方法及び装置を詳述している。本発明の原理及び実装態様は、具体的な例を用いることで、本明細書に説明されている。前述の実施形態についての説明は、単に、本発明の方法及び中心となる概念を理解するのに役立つように提供されているだけである。さらに、当業者であれば、本発明の概念に基づいて、特定の実装態様及び応用範囲に変化を加えることができる。したがって、本明細書の内容は、本発明に対する限定と解釈されるべきではない。
［項目１］
無認可周波数帯域ロングタームエボリューションＬＴＥ−Ｕ処理部と、
ワイヤレスフィデリティＷｉ−Ｆｉ処理部と、
アンテナ部と
を備え、
結合装置をさらに備える、信号伝送装置であって、
上記結合装置は、上記ＬＴＥ−Ｕ処理部と、上記Ｗｉ−Ｆｉ処理部と、上記アンテナ部とに接続されており、
上記結合装置は、上記アンテナ部により受信されたエアインタフェース信号を、第１の信号及び第２の信号に分割し、上記第１の信号を上記ＬＴＥ−Ｕ処理部へ送信し、上記第２の信号を上記Ｗｉ−Ｆｉ処理部へ送信するように構成されており、
上記結合装置はさらに、上記ＬＴＥ−Ｕ処理部により送信されたＬＴＥ−Ｕ信号を受信し、上記ＬＴＥ−Ｕ信号を第１のＬＴＥ−Ｕ信号及び第２のＬＴＥ−Ｕ信号に分割し、上記アンテナ部が上記第１のＬＴＥ−Ｕ信号を伝送するように、上記第１のＬＴＥ−Ｕ信号を上記アンテナ部へ送信し、上記Ｗｉ−Ｆｉ処理部がＷｉ−Ｆｉ信号を送信しないように、上記第２のＬＴＥ−Ｕ信号を上記Ｗｉ−Ｆｉ処理部へ送信するように構成されており、
上記結合装置はさらに、上記Ｗｉ−Ｆｉ処理部により送信されたＷｉ−Ｆｉ信号を受信し、上記Ｗｉ−Ｆｉ信号を第１のＷｉ−Ｆｉ信号及び第２のＷｉ−Ｆｉ信号に分割し、上記アンテナ部が上記第１のＷｉ−Ｆｉ信号を伝送するように、上記第１のＷｉ−Ｆｉ信号を上記アンテナ部へ送信し、上記ＬＴＥ−Ｕ処理部がＬＴＥ−Ｕ信号を送信しないように、上記第２のＷｉ−Ｆｉ信号を上記ＬＴＥ−Ｕ処理部へ送信するように構成されている、信号伝送装置。
［項目２］
上記結合装置は、第１の電力分割器と、第２の電力分割器と、第３の電力分割器と、第４の電力分割器とを有し、
上記第１の電力分割器の第１の端部が上記第２の電力分割器の第１の端部に接続されており、上記第１の電力分割器の第２の端部が上記ＬＴＥ−Ｕ処理部の出力端に接続されており、上記第１の電力分割器の第３の端部が上記Ｗｉ−Ｆｉ処理部の出力端に接続されており、上記第２の電力分割器の第２の端部が上記アンテナ部の入力端に接続されており、上記第２の電力分割器の第３の端部が上記第３の電力分割器の第３の端部に接続されており、上記第３の電力分割器の第２の端部が上記アンテナ部の出力端に接続されており、上記第３の電力分割器の第１の端部が上記第４の電力分割器の第１の端部に接続されており、上記第４の電力分割器の第２の端部が上記ＬＴＥ−Ｕ処理部の入力端に接続されており、上記第４の電力分割器の第３の端部が上記Ｗｉ−Ｆｉ処理部の入力端に接続されている、項目１に記載の装置。
［項目３］
上記結合装置は、第１の電力分割器と、第２の電力分割器と、第１の結合器と、第２の結合器とを有し、
上記第１の電力分割器の第１の端部が上記第１の結合器の第１の端部に接続されており、上記第１の電力分割器の第２の端部が上記ＬＴＥ−Ｕ処理部の出力端に接続されており、上記第１の電力分割器の第３の端部が上記Ｗｉ−Ｆｉ処理部の出力端に接続されており、上記第１の結合器の第２の端部が上記アンテナ部の入力端に接続されており、上記第１の結合器の第３の端部が上記第２の結合器の第３の端部に接続されており、上記第２の結合器の第１の端部が上記アンテナ部の出力端に接続されており、上記第２の結合器の第２の端部が上記第２の電力分割器の第１の端部に接続されており、上記第２の電力分割器の第２の端部が上記ＬＴＥ−Ｕ処理部の入力端に接続されており、上記第２の電力分割器の第３の端部が上記Ｗｉ−Ｆｉ処理部の入力端に接続されている、項目１に記載の装置。
［項目４］
上記結合装置は、第１の電力分割器と、第２の電力分割器と、第３の電力分割器と、第４の電力分割器と、第５の電力分割器と、第６の電力分割器とを有し、
上記第１の電力分割器の第１の端部が上記Ｗｉ−Ｆｉ処理部の出力端に接続されており、上記第１の電力分割器の第２の端部が上記第２の電力分割器の第２の端部に接続されており、上記第２の電力分割器の第１の端部が上記アンテナ部の入力端に接続されており、上記第１の電力分割器の第３の端部が上記第４の電力分割器の第３の端部に接続されており、上記第４の電力分割器の第２の端部が上記第３の電力分割器の第２の端部に接続されており、上記第３の電力分割器の第１の端部が上記アンテナ部の出力端に接続されており、上記第４の電力分割器の第１の端部が上記ＬＴＥ−Ｕ処理部の入力端に接続されており、上記第６の電力分割器の第１の端部が上記ＬＴＥ−Ｕ処理部の出力端に接続されており、上記第６の電力分割器の第３の端部が上記第２の電力分割器の第３の端部に接続されており、上記第６の電力分割器の第２の端部が上記第５の電力分割器の第２の端部に接続されており、上記第５の電力分割器の第３の端部が上記第３の電力分割器の第３の端部に接続されており、上記第５の電力分割器の第１の端部が上記Ｗｉ−Ｆｉ処理部の入力端に接続されている、項目１に記載の装置。
［項目５］
上記結合装置はさらに、減衰器を有し、
上記減衰器の入力端が上記第２の電力分割器の上記第３の端部に接続されており、上記減衰器の出力端が上記第３の電力分割器の上記第３の端部に接続されている、項目２に記載の装置。
［項目６］
上記結合装置はさらに、減衰器を有し、
上記減衰器の入力端が、上記第１の結合器の上記第３の端部に接続されており、上記減衰器の出力端が上記第２の結合器の上記第３の端部に接続されている、項目３に記載の装置。
［項目７］
上記結合装置はさらに、第１の減衰器と、第２の減衰器とを有し、
上記第１の減衰器の入力端が上記第１の電力分割器の上記第３の端部に接続されており、上記第１の減衰器の出力端が上記第４の電力分割器の上記第３の端部に接続されており、上記第２の減衰器の入力端が上記第６の電力分割器の上記第２の端部に接続されており、上記第２の減衰器の出力端が上記第５の電力分割器の上記第２の端部に接続されている、項目４に記載の装置。
［項目８］
ＬＴＥ−Ｕ処理部と、
Ｗｉ−Ｆｉ処理部と、
アンテナ部と
を備え、
結合装置をさらに備える、信号伝送装置であって、
上記結合装置は、上記ＬＴＥ−Ｕ処理部と、上記Ｗｉ−Ｆｉ処理部と、上記アンテナ部とに接続されており、上記ＬＴＥ−Ｕ処理部は、上記Ｗｉ−Ｆｉ処理部に接続されており、
上記結合装置は、上記アンテナ部により受信されたエアインタフェース信号を、第１の信号及び第２の信号に分割し、上記第１の信号を上記ＬＴＥ−Ｕ処理部へ送信し、上記第２の信号を上記Ｗｉ−Ｆｉ処理部へ送信するように構成されており、
上記結合装置はさらに、上記ＬＴＥ−Ｕ処理部により送信されたＬＴＥ−Ｕ信号を受信し、上記アンテナ部が上記ＬＴＥ−Ｕ信号を伝送するように、上記ＬＴＥ−Ｕ信号を上記アンテナ部へ送信するように構成されており、
上記結合装置はさらに、上記Ｗｉ−Ｆｉ処理部により送信されたＷｉ−Ｆｉ信号を受信し、上記アンテナ部が上記Ｗｉ−Ｆｉ信号を伝送するように、上記Ｗｉ−Ｆｉ信号を上記アンテナ部へ送信するように構成されており、
上記ＬＴＥ−Ｕ処理部は、上記ＬＴＥ−Ｕ信号を上記結合装置へ送信する必要がある場合に、上記Ｗｉ−Ｆｉ処理部がＷｉ−Ｆｉ信号を送信しないように、第１のプロンプトメッセージを上記Ｗｉ−Ｆｉ処理部へ送信するように構成されており、
上記Ｗｉ−Ｆｉ処理部は、上記Ｗｉ−Ｆｉ信号を上記結合装置へ送信する必要がある場合に、上記ＬＴＥ−Ｕ処理部がＬＴＥ−Ｕ信号を送信しないように、第２のプロンプトメッセージを上記ＬＴＥ−Ｕ処理部へ送信するように構成されている、信号伝送装置。
［項目９］
上記結合装置は、第１の電力分割器と、第２の電力分割器とを有し、
上記第１の電力分割器の第１の端部が上記アンテナ部の入力端に接続されており、上記第１の電力分割器の第２の端部が上記ＬＴＥ−Ｕ処理部の出力端に接続されており、上記第１の電力分割器の第３の端部が上記Ｗｉ−Ｆｉ処理部の出力端に接続されており、上記第２の電力分割器の第１の端部が上記アンテナ部の出力端に接続されており、上記第２の電力分割器の第２の端部が上記ＬＴＥ−Ｕ処理部の入力端に接続されており、上記第２の電力分割器の第３の端部が上記Ｗｉ−Ｆｉ処理部の入力端に接続されている、項目８に記載の装置。
［項目１０］
ＬＴＥ−Ｕ処理部と、
Ｗｉ−Ｆｉ処理部と、
アンテナ部と
を備え、
結合装置と、
制御部と
をさらに備える、信号伝送装置であって、
上記結合装置は、上記ＬＴＥ−Ｕ処理部、上記Ｗｉ−Ｆｉ処理部、上記制御部、及び上記アンテナ部に接続されており、上記制御部は、上記ＬＴＥ−Ｕ処理部、上記結合装置、及び上記Ｗｉ−Ｆｉ処理部に接続されており、
上記結合装置は、上記アンテナ部により受信されたエアインタフェース信号を、第１の信号、第２の信号、及び第３の信号に分割し、上記第１の信号を上記ＬＴＥ−Ｕ処理部へ送信し、上記第２の信号を上記Ｗｉ−Ｆｉ処理部へ送信し、上記第３の信号を上記制御部へ送信するように構成されており、
上記制御部は、チャネルがアイドル状態であることを検出した場合に、上記チャネルについて競合し、上記チャネルが競合によって取得された場合に、ＬＴＥ−Ｕ信号を送信するように上記ＬＴＥ−Ｕ処理部を制御し、且つＷｉ−Ｆｉ信号を送信しないように上記Ｗｉ−Ｆｉ処理部を制御するか、又は、Ｗｉ−Ｆｉ信号を送信するように上記Ｗｉ−Ｆｉ処理部を制御し、且つＬＴＥ−Ｕ信号を送信しないように上記ＬＴＥ−Ｕ処理部を制御するように構成されており、
上記結合装置はさらに、上記ＬＴＥ−Ｕ処理部により送信された上記ＬＴＥ−Ｕ信号を受信し、上記アンテナ部が上記ＬＴＥ−Ｕ信号を伝送するように、上記ＬＴＥ−Ｕ信号を上記アンテナ部へ送信するように構成されており、
上記結合装置はさらに、上記Ｗｉ−Ｆｉ処理部により送信された上記Ｗｉ−Ｆｉ信号を受信し、上記アンテナ部が上記Ｗｉ−Ｆｉ信号を伝送するように、上記Ｗｉ−Ｆｉ信号を上記アンテナ部へ送信するように構成されている、信号伝送装置。
［項目１１］
上記結合装置は、第１の電力分割器と、第２の電力分割器とを有し、
上記第１の電力分割器の第１の端部が上記アンテナ部の入力端に接続されており、上記第１の電力分割器の第２の端部が上記ＬＴＥ−Ｕ処理部の出力端に接続されており、上記第１の電力分割器の第３の端部が上記Ｗｉ−Ｆｉ処理部の出力端に接続されており、上記第２の電力分割器の第１の端部が上記アンテナ部の出力端に接続されており、上記第２の電力分割器の第２の端部が上記ＬＴＥ−Ｕ処理部の入力端に接続されており、上記第２の電力分割器の第３の端部が上記Ｗｉ−Ｆｉ処理部の入力端に接続されており、上記第２の電力分割器の第４の端部が上記制御部の入力端に接続されている、項目１０に記載の装置。
［項目１２］
アンテナ部を備える信号伝送装置に適用される信号伝送方法であって、
チャネルがアイドル状態であるかどうかを検出する段階と、
上記チャネルがアイドル状態である場合に、ＬＴＥ−Ｕ信号及びＷｉ−Ｆｉ信号を時分割多重方式で上記アンテナ部により伝送する段階と
を備え、
エアインタフェース信号を上記アンテナ部により受信する段階と、
上記エアインタフェース信号を、第１の信号及び第２の信号に分割する段階と
をさらに備える、方法。
［項目１３］
上記装置はさらに、結合装置を備え、
ＬＴＥ−Ｕ信号及びＷｉ−Ｆｉ信号を時分割多重方式で上記アンテナ部により上記伝送する段階は、
上記ＬＴＥ−Ｕ信号が伝送される必要がある場合に、上記ＬＴＥ−Ｕ信号を第１のＬＴＥ−Ｕ信号及び第２のＬＴＥ−Ｕ信号に上記結合装置により分割して、上記第１のＬＴＥ−Ｕ信号を上記アンテナ部により伝送する段階であって、上記第２のＬＴＥ−Ｕ信号は、上記Ｗｉ−Ｆｉ信号を伝送しないように命令するのに用いられる、段階、又は、
上記Ｗｉ−Ｆｉ信号が伝送される必要がある場合に、上記Ｗｉ−Ｆｉ信号を第１のＷｉ−Ｆｉ信号及び第２のＷｉ−Ｆｉ信号に上記結合装置により分割して、上記第１のＷｉ−Ｆｉ信号を上記アンテナ部により伝送する段階であって、上記第２のＷｉ−Ｆｉ信号は、上記ＬＴＥ−Ｕ信号を伝送しないように命令するのに用いられる、段階
を有する、項目１２に記載の方法。
［項目１４］
上記装置はさらに、ＬＴＥ−Ｕ処理部と、Ｗｉ−Ｆｉ処理部と、結合装置とを備え、
ＬＴＥ−Ｕ信号及びＷｉ−Ｆｉ信号を時分割多重方式で上記アンテナ部により上記伝送する段階は、
上記ＬＴＥ−Ｕ信号が伝送される必要がある場合に、上記ＬＴＥ−Ｕ信号を上記アンテナ部へ上記結合装置により送信する段階と、第１のプロンプトメッセージを上記Ｗｉ−Ｆｉ処理部へ上記ＬＴＥ−Ｕ処理部により送信する段階と、上記ＬＴＥ−Ｕ信号を上記アンテナ部により伝送する段階とを有し、上記第１のプロンプトメッセージは、上記Ｗｉ−Ｆｉ信号を上記アンテナ部へ送信しないように上記Ｗｉ−Ｆｉ処理部に命令するのに用いられる、又は、
上記Ｗｉ−Ｆｉ信号が伝送される必要がある場合に、上記Ｗｉ−Ｆｉ信号を上記アンテナ部へ上記結合装置により送信する段階と、第２のプロンプトメッセージを上記ＬＴＥ−Ｕ処理部へ上記Ｗｉ−Ｆｉ処理部により送信する段階と、上記Ｗｉ−Ｆｉ信号を上記アンテナ部により伝送する段階とを有し、上記第２のプロンプトメッセージは、上記ＬＴＥ−Ｕ信号を上記アンテナ部へ送信しないように上記ＬＴＥ−Ｕ処理部に命令するのに用いられる、項目１２に記載の方法。
［項目１５］
上記装置はさらに、ＬＴＥ−Ｕ処理部と、Ｗｉ−Ｆｉ処理部と、制御部とを備え、
ＬＴＥ−Ｕ信号及びＷｉ−Ｆｉ信号を時分割多重方式で上記アンテナ部により上記伝送する段階は、
上記ＬＴＥ−Ｕ信号が伝送される必要がある場合に、上記制御部により、上記ＬＴＥ−Ｕ信号を上記アンテナ部へ送信するように上記ＬＴＥ−Ｕ処理部を制御し、且つＷｉ−Ｆｉ信号を上記アンテナ部へ送信しないように上記Ｗｉ−Ｆｉ処理部を制御して、上記ＬＴＥ−Ｕ信号を上記アンテナ部により伝送する段階、又は、
上記Ｗｉ−Ｆｉ信号が伝送される必要がある場合に、上記制御部により、上記Ｗｉ−Ｆｉ信号を上記アンテナ部へ送信するように上記Ｗｉ−Ｆｉ処理部を制御し、且つＬＴＥ−Ｕ信号を上記アンテナ部へ送信しないように上記ＬＴＥ−Ｕ処理部を制御して、上記Ｗｉ−Ｆｉ信号を上記アンテナ部により伝送する段階
を有する、項目１２に記載の方法。
［項目１６］
上記チャネルがアイドル状態の場合に、ＬＴＥ−Ｕ信号及びＷｉ−Ｆｉ信号を時分割多重方式で上記アンテナ部により上記伝送する段階の前に、
上記チャネルが競合によって取得されたかどうかを判定する段階と、
上記チャネルが競合によって取得された場合に、ＬＴＥ−Ｕ信号及びＷｉ−Ｆｉ信号を時分割多重方式で上記アンテナ部により伝送するオペレーションを実行する段階と
をさらに備える、項目１２から１５のいずれか一項に記載の方法。
【図１】
0006642891.tif 000002
【図２】
0006642891.tif 000003
【図３】
0006642891.tif 000004
【図４】
0006642891.tif 000005
【図５】
0006642891.tif 000006
【図６】
0006642891.tif 000007
【図７】
0006642891.tif 000008
【図８】
0006642891.tif 000009
【図９】
0006642891.tif 000010
【図１０】
0006642891.tif 000011
【図１１】
0006642891.tif 000012